(57)【要約】本開示は、データ伝送方法、基地局および端末を提供する。基地局に対応する方法において、ＳＲＳリソース構成情報と、端末の伝送可能な最大トランスポートストリーム数または端末の伝送可能なストリーム数の集合を含むトランスポートストリーム数構成情報を送信するステップと、アップリンク伝送指示情報を特定するステップと、ＳＲＳリソース構成情報およびトランスポートストリーム数構成情報に基づいて、前記アップリンク伝送指示情報に対応する負荷を特定するステップと、アップリンク伝送指示情報を負荷によって端末に送信するステップとを含む。【選択図】図１
2020530741.tif 000002
【特許請求の範囲】
【請求項１】
基地局に応用されるデータ伝送方法において、
ＳＲＳ（Ｓｏｕｎｄｉｎｇ  Ｒｅｆｅｒｅｎｃｅ  Ｓｉｇｎａｌ）リソース構成情報と、端末の伝送可能な最大トランスポートストリーム数または前記端末の伝送可能なストリーム数の集合を含むトランスポートストリーム数構成情報を送信するステップと、
アップリンク伝送指示情報を特定するステップと、
前記ＳＲＳリソース構成情報および前記トランスポートストリーム数構成情報に基づいて、前記アップリンク伝送指示情報に対応する負荷を特定するステップと、
前記アップリンク伝送指示情報を前記負荷によって前記端末に送信するステップとを含む、データ伝送方法。
【請求項２】
前記の前記ＳＲＳリソース構成情報および前記トランスポートストリーム数構成情報に基づいて、前記アップリンク伝送指示情報に対応する負荷を特定するステップは、
以下の（ｉ）〜（ｖ）のうちの１つを含む、請求項１に記載の方法。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【請求項３】
前記の前記ＳＲＳリソース構成情報および前記トランスポートストリーム数構成情報に基づいて、前記アップリンク伝送指示情報に対応する負荷を特定するステップは、
前記基地局がＳＲＳ信号を測定し、測定結果に基づいてＴＲＩ（Ｔｒａｎｓｍｉｔ  Ｒａｎｋ  Ｉｎｄｉｃａｔｏｒ）、ＳＲＳリソース、ＳＲＳポートのうちの少なくとも１つを選択するステップと、
前記基地局によって選択されたＴＲＩ数、ＳＲＳポート数、ＳＲＳリソース数のうちの少なくとも１つと前記ＳＲＳリソース構成情報に基づいて、前記アップリンク伝送指示情報に対応する負荷を特定するステップとを含む、請求項１に記載の方法。
【請求項４】
前記の前記ＳＲＳリソース構成情報および前記トランスポートストリーム数構成情報に基づいて、前記アップリンク伝送指示情報に対応する負荷を特定するステップは、
前記の前記ＳＲＳリソース構成情報および前記トランスポートストリーム数構成情報に基づいて、前記アップリンク伝送指示情報に対応する負荷を特定するステップの特定方法を指示する指示情報である負荷特定方法指示情報を、前記基地局から前記端末に送信するステップをさらに含む、請求項２または３に記載の方法。
【請求項５】
前記アップリンク伝送指示情報は、
ＳＲＩ（ＳＲＳ  Ｒｅｓｏｕｒｃｅ  Ｉｎｄｉｃａｔｏｒ）、ＴＲＩ、ＳＲＳリソースのうちのＳＲＳポートの指示情報のうちの少なくとも１つを含む目標指示情報と、
ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む、請求項１〜３のいずれか一項に記載の方法。
【請求項６】
前記ＳＲＳリソースと前記参照信号ポートのマッピング関係は、
前記参照信号ポートと前記ＳＲＳリソースとは、同じプリコーディング行列で伝送されることを含み、
および／または、
前記ＳＲＳリソースと前記データ層のマッピング関係は、
前記データ層と前記ＳＲＳリソースとは、同じプリコーディング行列で伝送されることを含み、
および／または、
前記ＳＲＳポートと前記参照信号ポートのマッピング関係は、
前記参照信号と前記ＳＲＳポートとは、同じプリコーディング行列で伝送されることを含み、
および／または、
前記ＳＲＳポートと前記データ層のマッピング関係は、
前記データ層と前記ＳＲＳポートとは、同じプリコーディング行列で伝送されることを含む、請求項５に記載の方法。
【請求項７】
前記アップリンク伝送指示情報と参照信号ポートのマッピング関係を端末と取り決めるステップ、または、前記アップリンク伝送指示情報とデータ層のマッピング関係を端末と取り決めるステップをさらに含む、請求項１〜３のいずれか一項に記載の方法。
【請求項８】
前記のアップリンク伝送指示情報を特定するステップは、
前記端末から前記ＳＲＳリソースで送信されるＳＲＳ信号を受信するステップと、
前記ＳＲＳ信号に基づいて前記アップリンク伝送指示情報を特定するステップとを含む、請求項１〜３のいずれか一項に記載の方法。
【請求項９】
端末に応用されるデータ伝送方法において、
基地局から送信されるＳＲＳリソース構成情報とトランスポートストリーム数構成情報を受信するステップと、
構成されたＳＲＳリソースでＳＲＳ信号を送信するステップと、
前記ＳＲＳリソース構成情報および前記トランスポートストリーム数構成情報に基づいて、前記基地局から送信されるアップリンク伝送指示情報に対応する負荷を特定するステップと、
前記基地局から送信されるアップリンク伝送指示情報を受信するステップと、
前記アップリンク伝送指示情報に基づいて、アップリンクデータ伝送用のプリコーディング行列を取得するステップとを含む、データ伝送方法。
【請求項１０】
前記の前記ＳＲＳリソース構成情報および前記トランスポートストリーム数構成情報に基づいて、前記基地局から送信されるアップリンク伝送指示情報に対応する負荷を特定するステップは、
以下の（ｉ）〜（ｖ）のうちの１つを含む、請求項９に記載の方法。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【請求項１１】
前記の前記アップリンク伝送指示情報に基づいて、アップリンクデータ伝送用のプリコーディング行列を取得するステップは、
前記負荷に基づいて前記アップリンク伝送指示情報を復号し、復号結果に基づいて前記アップリンクデータ伝送用のプリコーディング行列を取得するステップを含む、請求項９または１０に記載の方法。
【請求項１２】
前記アップリンク伝送指示情報は、
ＳＲＩ、ＴＲＩ、ＳＲＳリソースのうちのＳＲＳポートの指示情報のうちの少なくとも１つを含む目標指示情報と、
ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む、請求項９に記載の方法。
【請求項１３】
前記ＳＲＳリソースと前記参照信号ポートのマッピング関係は、
前記参照信号ポートと前記ＳＲＳリソースとは、同じプリコーディング行列で伝送されることを含み、
および／または、
前記ＳＲＳリソースと前記データ層のマッピング関係は、
前記データ層と前記ＳＲＳリソースとは、同じプリコーディング行列で伝送されることを含み、
および／または、
前記ＳＲＳポートと前記参照信号ポートのマッピング関係は、
前記参照信号と前記ＳＲＳポートとは、同じプリコーディング行列で伝送されることを含み、
および／または、
前記ＳＲＳポートと前記データ層のマッピング関係は、
前記データ層と前記ＳＲＳポートとは、同じプリコーディング行列で伝送されることを含む、請求項１２に記載の方法。
【請求項１４】
前記の前記アップリンク伝送指示情報に基づいて、アップリンクデータ伝送用のプリコーディング行列を取得するステップは、
前記ＳＲＳリソースと参照信号ポートのマッピング関係情報と、ＳＲＳポートと参照信号ポートのマッピング関係情報のうちの１つに基づいて、各参照信号ポートに対応するプリコーディングベクトル／行列を特定するステップと、
各参照信号ポートに対応するプリコーディングベクトル／行列に基づいて、アップリンクデータ伝送用のプリコーディング行列を取得するステップとを含む、請求項１３に記載の方法。
【請求項１５】
前記の前記アップリンク伝送指示情報に基づいて、アップリンクデータ伝送用のプリコーディング行列を取得するステップは、
前記ＳＲＳリソースとデータ層のマッピング関係情報と、ＳＲＳポートとデータ層のマッピング関係情報のうちの１つに基づいて、各データ層に対応するプリコーディングベクトル／行列を特定するステップと、
各データ層に対応するプリコーディングベクトル／行列に基づいて、アップリンクデータ伝送用のプリコーディング行列を取得するステップとを含む、請求項１３に記載の方法。
【請求項１６】
前記アップリンク伝送指示情報と参照信号ポートのマッピング関係と、前記アップリンク伝送指示情報とデータ層のマッピング関係のうちの１つを前記基地局と取り決めるステップ、または、前記アップリンク伝送指示情報と参照信号ポートのマッピング関係と、前記アップリンク伝送指示情報とデータ層のマッピング関係のうちの１つを前記基地局から受信するステップをさらに含む、請求項９〜１５のいずれか一項に記載の方法。
【請求項１７】
アップリンク伝送指示情報を受信するステップをさらに含む、請求項９〜１５のいずれか一項に記載の方法。
【請求項１８】
ＳＲＳリソース構成情報と、端末の伝送可能な最大トランスポートストリーム数または前記端末の伝送可能なストリーム数の集合を含むトランスポートストリーム数構成情報を送信するための第１送信モジュールと、
アップリンク伝送指示情報を特定するための第１特定モジュールと、
前記ＳＲＳリソース構成情報および前記トランスポートストリーム数構成情報に基づいて、前記アップリンク伝送指示情報に対応する負荷を特定するための第２特定モジュールと、
前記アップリンク伝送指示情報を前記負荷によって前記端末に送信するための第２送信モジュールとを含む、基地局。
【請求項１９】
前記第２特定モジュールは、具体的に、
以下の（ｉ）〜（ｖ）のうちの１つを実行することに用いられる、請求項１８に記載の基地局。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【請求項２０】
前記第２特定モジュールは、具体的に、
ＳＲＳ信号を測定し、測定結果に基づいてＴＲＩ、ＳＲＳリソース、ＳＲＳポートのうちの少なくとも１つを選択することと、
前記基地局によって選択されたＴＲＩ数、ＳＲＳポート数、ＳＲＳリソース数のうちの少なくとも１つと前記ＳＲＳリソース構成情報に基づいて、前記アップリンク伝送指示情報に対応する負荷を特定することに用いられる、請求項１８に記載の基地局。
【請求項２１】
前記第２特定モジュールは、具体的に、
前記の前記ＳＲＳリソース構成情報および前記トランスポートストリーム数構成情報に基づいて、前記アップリンク伝送指示情報に対応する負荷を特定するステップの特定方法を指示する指示情報である負荷特定方法指示情報を、前記端末に送信することに用いられる、請求項１９または２０に記載の基地局。
【請求項２２】
前記アップリンク伝送指示情報は、
ＳＲＩ、ＴＲＩ、ＳＲＳリソースのうちのＳＲＳポートの指示情報のうちの少なくとも１つを含む目標指示情報と、
ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む、請求項１８〜２０のいずれか一項に記載の基地局。
【請求項２３】
前記ＳＲＳリソースと前記参照信号ポートのマッピング関係は、
前記参照信号ポートと前記ＳＲＳリソースとは、同じプリコーディング行列で伝送されることを含み、
および／または、
前記ＳＲＳリソースと前記データ層のマッピング関係は、
前記データ層と前記ＳＲＳリソースとは、同じプリコーディング行列で伝送されることを含み、
および／または、
前記ＳＲＳポートと前記参照信号ポートのマッピング関係は、
前記参照信号と前記ＳＲＳポートとは、同じプリコーディング行列で伝送されることを含み、
および／または、
前記ＳＲＳポートと前記データ層のマッピング関係は、
前記データ層と前記ＳＲＳポートとは、同じプリコーディング行列で伝送されることを含む、請求項２０に記載の基地局。
【請求項２４】
前記アップリンク伝送指示情報と参照信号ポートのマッピング関係を端末と取り決め、または、前記アップリンク伝送指示情報とデータ層のマッピング関係を端末と取り決めるように構成される取り決めモジュールをさらに含む、請求項１８〜２０のいずれか一項に記載の基地局。
【請求項２５】
前記第１特定モジュールは、具体的に、
前記端末から前記ＳＲＳリソースで送信されるＳＲＳ信号を受信することと、
前記ＳＲＳ信号に基づいて前記アップリンク伝送指示情報を特定することに用いられる、請求項１８〜２０のいずれか一項に記載の基地局。
【請求項２６】
基地局から送信されるＳＲＳリソース構成情報とトランスポートストリーム数構成情報を受信するための第１受信モジュールと、
構成されたＳＲＳリソースでＳＲＳ信号を送信するための送信モジュールと、
前記ＳＲＳリソース構成情報および前記トランスポートストリーム数構成情報に基づいて、前記基地局から送信されるアップリンク伝送指示情報に対応する負荷を特定するための特定モジュールと、
前記基地局から送信されるアップリンク伝送指示情報を受信するための第２受信モジュールと、
前記アップリンク伝送指示情報に基づいて、アップリンクデータ伝送用のプリコーディング行列を取得するための取得モジュールとを含む、端末。
【請求項２７】
前記特定モジュールは、具体的に、
以下の（ｉ）〜（ｖ）のうちの１つを実行することに用いられる、請求項２６に記載の端末。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【請求項２８】
前記取得モジュールは、さらに、
前記負荷に基づいて前記アップリンク伝送指示情報を復号し、復号結果に基づいて前記アップリンクデータ伝送用のプリコーディング行列を取得するように構成される、請求項２６または２７に記載の端末。
【請求項２９】
前記アップリンク伝送指示情報は、
ＳＲＩ、ＴＲＩ、ＳＲＳリソースのうちのＳＲＳポートの指示情報のうちの少なくとも１つを含む目標指示情報と、
ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む、請求項２６に記載の端末。
【請求項３０】
前記ＳＲＳリソースと前記参照信号ポートのマッピング関係は、
前記参照信号ポートと前記ＳＲＳリソースとは、同じプリコーディング行列で伝送されることを含み、
および／または、
前記ＳＲＳリソースと前記データ層のマッピング関係は、
前記データ層と前記ＳＲＳリソースとは、同じプリコーディング行列で伝送されることを含み、
および／または、
前記ＳＲＳポートと前記参照信号ポートのマッピング関係は、
前記参照信号と前記ＳＲＳポートとは、同じプリコーディング行列で伝送されることを含み、
および／または、
前記ＳＲＳポートと前記データ層のマッピング関係は、
前記データ層と前記ＳＲＳポートとは、同じプリコーディング行列で伝送されることを含む、請求項２９に記載の端末。
【請求項３１】
前記取得モジュールは、具体的に、
前記ＳＲＳリソースと参照信号ポートのマッピング関係情報と、ＳＲＳポートと参照信号ポートのマッピング関係情報のうちの１つに基づいて、各参照信号ポートに対応するプリコーディングベクトル／行列を特定することと、
各参照信号ポートに対応するプリコーディングベクトル／行列に基づいて、アップリンクデータ伝送用のプリコーディング行列を取得することに用いられる、請求項３０に記載の端末。
【請求項３２】
前記取得モジュールは、具体的に、
前記ＳＲＳリソースとデータ層のマッピング関係情報と、ＳＲＳポートとデータ層のマッピング関係情報のうちの１つに基づいて、各データ層に対応するプリコーディングベクトル／行列を特定することと、
各データ層に対応するプリコーディングベクトル／行列に基づいて、アップリンクデータ伝送用のプリコーディング行列を取得することに用いられる、請求項３０に記載の端末。
【請求項３３】
前記アップリンク伝送指示情報と参照信号ポートのマッピング関係を前記基地局と取り決め、または、前記アップリンク伝送指示情報とデータ層のマッピング関係を前記基地局と取り決めるための取り決めモジュールをさらに含む、請求項２６〜３２のいずれか一項に記載の端末。
【請求項３４】
アップリンク伝送指示情報を受信するための第３受信モジュールをさらに含む、請求項２６〜３２のいずれか一項に記載の端末。
【請求項３５】
メモリと、プロセッサと、トランシーバと、前記メモリに記憶されて前記プロセッサで実行可能なコンピュータプログラムを含む基地局において、
前記プロセッサが前記コンピュータプログラムを実行すると、請求項１〜８のいずれか一項に記載の方法のステップが実現される、基地局。
【請求項３６】
メモリと、プロセッサと、トランシーバと、前記メモリに記憶されて前記プロセッサで実行可能なコンピュータプログラムを含む端末において、
前記プロセッサが前記コンピュータプログラムを実行すると、請求項９〜１７のいずれか一項に記載の方法のステップが実現される、端末。
【請求項３７】
コンピュータプログラムを記憶するためのコンピュータ読み取り可能な記憶媒体であって、
前記コンピュータプログラムがプロセッサによって実行されると、請求項１〜８のいずれか一項に記載の方法のステップが実現され、
または、
前記コンピュータプログラムがプロセッサによって実行されると、請求項９〜１７のいずれか一項に記載の方法のステップが実現される、コンピュータ読み取り可能な記憶媒体。
【発明の詳細な説明】
【技術分野】
【０００１】
本願は、２０１７年８月１１日に中国特許庁に提出された中国特許出願２０１７１０６８７９３４．０の優先権を主張し、その全ての内容が援用によりここに取り込まれる。
本開示は、通信技術分野に係り、特にデータ伝送方法、基地局および端末に係る。
【背景技術】
【０００２】
たとえば５Ｇ（５ｔｈ−ｇｅｎｅｒａｔｉｏｎ）システムなど、将来のＮＲ（Ｎｅｗ  Ｒａｔ）通信システムにおいて、コードブックに基づくアップリンク伝送がサポートされるだけではなく、ノンコードブックに基づくアップリンク伝送もサポートされる。
【０００３】
アップリンクとダウンリンクにチャネル相反性を有する場合、ノンコードブックのアップリンク伝送が考えられる。ＮＲシステムにおいて、１種のノンコードブックのアップリンク伝送として、アップリンクチャネル品質測定用の複数のＳＲＳ（Ｓｏｕｎｄｉｎｇ  Ｒｅｆｅｒｅｎｃｅ  Ｓｉｇｎａｌ）リソースを基地局から端末に対し設定し、各ＳＲＳリソースに１つのＳＲＳポートを有する。仮に基地局から端末に対し４つのＳＲＳリソースを設定したが、基地局は、ネットワークスケジューリング状況に応じて、ある期間中に端末が最多でも２ストリームを利用した伝送しかできないと見なす。基地局から最大トランスポートストリーム数を端末に指示しない場合、端末が仮に最多で４ストリームを利用して伝送できるとすると、４ストリームに対応するプリコーディングで符号化を行うことになるため、リソースの無駄遣いになる。基地局でも、４つのＳＲＳリソースの設定に対応するオーバヘッドによって端末に対しＳＲＳリソースの指示を行うことになるため、オーバヘッドの無駄遣いや負荷が大きくなる問題につながる。
【発明の概要】
【発明が解決しようとする課題】
【０００４】
これに鑑みて、本開示は、データ伝送方法、基地局および端末を提供して、従来のアップリンク伝送に存在するリソース無駄遣いおよびアップリンク伝送のオーバヘッドまたは負荷が大きいという問題を解決する。
【課題を解決するための手段】
【０００５】
上記の技術課題を解決するために、本開示は、基地局に応用されるデータ伝送方法を提供する。当該方法において、ＳＲＳリソース構成情報と、前記端末の伝送可能な最大トランスポートストリーム数または前記端末の伝送可能なストリーム数の集合を含むトランスポートストリーム数構成情報を送信するステップと、アップリンク伝送指示情報を特定するステップと、前記ＳＲＳリソース構成情報および前記トランスポートストリーム数構成情報に基づいて、前記アップリンク伝送指示情報に対応する負荷を特定するステップと、前記アップリンク伝送指示情報を前記負荷によって前記端末に送信するステップとを含む。
【０００６】
選択可能に、前記の前記ＳＲＳリソース構成情報および前記トランスポートストリーム数構成情報に基づいて、前記アップリンク伝送指示情報に対応する負荷を特定するステップは、以下の（ｉ）〜（ｖ）のうちの１つを含む。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【０００７】
選択可能に、前記の前記ＳＲＳリソース構成情報および前記トランスポートストリーム数構成情報に基づいて、前記アップリンク伝送指示情報に対応する負荷を特定するステップは、前記基地局がＳＲＳ信号を測定し、測定結果に基づいてＴＲＩおよび／またはＳＲＳリソースおよび／またはＳＲＳポートを選択するステップと、前記基地局によって選択されたＴＲＩ数、ＳＲＳポート数、ＳＲＳリソース数のうちの少なくとも１つと前記ＳＲＳリソース構成情報に基づいて、前記アップリンク伝送指示情報に対応する負荷を特定するステップとを含む。
【０００８】
選択可能に、前記の前記ＳＲＳリソース構成情報および前記トランスポートストリーム数構成情報に基づいて、前記アップリンク伝送指示情報に対応する負荷を特定するステップは、前記ＳＲＳリソース構成情報および前記トランスポートストリーム数構成情報に基づいて、前記アップリンク伝送指示情報に対応する負荷を特定するには、少なくとも２種類の特定方法を含む場合、負荷特定方法指示情報を、前記基地局から前記端末に送信するステップをさらに含む。前記負荷特定方法指示情報は、前記の前記ＳＲＳリソース構成情報および前記トランスポートストリーム数構成情報に基づいて、前記アップリンク伝送指示情報に対応する負荷を特定するステップの特定方法を指示する指示情報である。
【０００９】
選択可能に、前記アップリンク伝送指示情報は、ＳＲＩ（ＳＲＳ  Ｒｅｓｏｕｒｃｅ  Ｉｎｄｉｃａｔｏｒ）、ＴＲＩ（Ｔｒａｎｓｍｉｔ  Ｒａｎｋ  Ｉｎｄｉｃａｔｏｒ）、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【００１０】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【００１１】
選択可能に、前記方法において、前記アップリンク伝送指示情報と参照信号ポートのマッピング関係を端末と取り決めるステップ、または、前記アップリンク伝送指示情報とデータ層のマッピング関係を端末と取り決めるステップをさらに含む。
【００１２】
選択可能に、前記のアップリンク伝送指示情報を特定するステップは、前記端末から前記ＳＲＳリソースで送信されるＳＲＳ信号を受信するステップと、前記ＳＲＳ信号に基づいて前記アップリンク伝送指示情報を特定するステップとを含む。
【００１３】
本開示は、端末に応用されるデータ伝送方法をさらに提供する。当該方法において、基地局から送信されるＳＲＳリソース構成情報とトランスポートストリーム数構成情報を受信するステップと、構成されたＳＲＳリソースでＳＲＳ信号を送信するステップと、前記ＳＲＳリソース構成情報および前記トランスポートストリーム数構成情報に基づいて、前記基地局から送信されるアップリンク伝送指示情報に対応する負荷を特定するステップと、前記基地局から送信されるアップリンク伝送指示情報を受信するステップと、前記アップリンク伝送指示情報に基づいて、アップリンクデータ伝送用のプリコーディング行列を取得するステップとを含む。
【００１４】
選択可能に、前記の前記ＳＲＳリソース構成情報および前記トランスポートストリーム数構成情報に基づいて、前記基地局から送信されるアップリンク伝送指示情報に対応する負荷を特定するステップは、以下の（ｉ）〜（ｖ）のうちの１つを含む。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【００１５】
選択可能に、前記の前記アップリンク伝送指示情報に基づいて、アップリンクデータ伝送用のプリコーディング行列を取得するステップは、前記負荷に基づいて前記アップリンク伝送指示情報を復号し、復号結果に基づいて前記アップリンクデータ伝送用のプリコーディング行列を取得するステップを含む。
【００１６】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【００１７】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【００１８】
選択可能に、前記の前記アップリンク伝送指示情報に基づいて、アップリンクデータ伝送用のプリコーディング行列を取得するステップは、前記ＳＲＳリソースと参照信号ポートのマッピング関係情報、または、ＳＲＳポートと参照信号ポートのマッピング関係情報に基づいて、各参照信号ポートに対応するプリコーディングベクトル／行列を特定するステップと、各参照信号ポートに対応するプリコーディングベクトル／行列に基づいて、アップリンクデータ伝送用のプリコーディング行列を取得するステップとを含む。
【００１９】
選択可能に、前記の前記アップリンク伝送指示情報に基づいて、アップリンクデータ伝送用のプリコーディング行列を取得するステップは、前記ＳＲＳリソースとデータ層のマッピング関係情報、または、ＳＲＳポートとデータ層のマッピング関係情報に基づいて、各データ層に対応するプリコーディングベクトル／行列を特定するステップと、各データ層に対応するプリコーディングベクトル／行列に基づいて、アップリンクデータ伝送用のプリコーディング行列を取得するステップとを含む。
【００２０】
選択可能に、前記方法において、前記アップリンク伝送指示情報と参照信号ポートのマッピング関係、または、前記アップリンク伝送指示情報とデータ層のマッピング関係を前記基地局と取り決めるステップ、または、前記アップリンク伝送指示情報と参照信号ポートのマッピング関係、または、前記アップリンク伝送指示情報とデータ層のマッピング関係を前記基地局から受信するステップをさらに含む。
【００２１】
選択可能に、前記方法において、アップリンク伝送指示情報を受信するステップをさらに含む。
【００２２】
本開示は、ＳＲＳリソース構成情報と、前記端末の伝送可能な最大トランスポートストリーム数または前記端末の伝送可能なストリーム数の集合を含むトランスポートストリーム数構成情報を送信するための第１送信モジュールと、アップリンク伝送指示情報を特定するための第１特定モジュールと、前記ＳＲＳリソース構成情報および前記トランスポートストリーム数構成情報に基づいて、前記アップリンク伝送指示情報に対応する負荷を特定するための第２特定モジュールと、前記アップリンク伝送指示情報を前記負荷によって前記端末に送信するための第２送信モジュールとを含む、基地局をさらに提供する。
【００２３】
選択可能に、前記第２特定モジュールは、具体的に、以下の（ｉ）〜（ｖ）のうちの１つを実行することに用いられる。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【００２４】
選択可能に、前記第２特定モジュールは、具体的に、ＳＲＳ信号を測定し、測定結果に基づいてＴＲＩおよび／またはＳＲＳリソースおよび／またはＳＲＳポートを選択することと、前記基地局によって選択されたＴＲＩ数、ＳＲＳポート数、ＳＲＳリソース数のうちの少なくとも１つと前記ＳＲＳリソース構成情報に基づいて、前記アップリンク伝送指示情報に対応する負荷を特定することに用いられる。
【００２５】
選択可能に、前記第２特定モジュールは、具体的に、前記ＳＲＳリソース構成情報および前記トランスポートストリーム数構成情報に基づいて、前記アップリンク伝送指示情報に対応する負荷を特定するには、少なくとも２種類の特定方法を含む場合、負荷特定方法指示情報を、前記端末に送信することに用いられる。ここで、前記負荷特定方法指示情報は、前記の前記ＳＲＳリソース構成情報および前記トランスポートストリーム数構成情報に基づいて、前記アップリンク伝送指示情報に対応する負荷を特定するステップの特定方法を指示する指示情報である。
【００２６】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【００２７】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【００２８】
選択可能に、前記基地局は、前記アップリンク伝送指示情報と参照信号ポートのマッピング関係を端末と取り決め、または、前記アップリンク伝送指示情報とデータ層のマッピング関係を端末と取り決めるように構成される取り決めモジュールをさらに含む。
【００２９】
選択可能に、前記第１特定モジュールは、具体的に、前記端末から前記ＳＲＳリソースで送信されるＳＲＳ信号を受信することと、前記ＳＲＳ信号に基づいて前記アップリンク伝送指示情報を特定することに用いられる。
【００３０】
本開示は、基地局から送信されるＳＲＳリソース構成情報とトランスポートストリーム数構成情報を受信するための第１受信モジュールと、構成されたＳＲＳリソースでＳＲＳ信号を送信するための送信モジュールと、前記ＳＲＳリソース構成情報および前記トランスポートストリーム数構成情報に基づいて、前記基地局から送信されるアップリンク伝送指示情報に対応する負荷を特定するための特定モジュールと、前記基地局から送信されるアップリンク伝送指示情報を受信するための第２受信モジュールと、前記アップリンク伝送指示情報に基づいて、アップリンクデータ伝送用のプリコーディング行列を取得するための取得モジュールとを含む、端末をさらに提供する。
【００３１】
選択可能に、前記特定モジュールは、具体的に、以下の（ｉ）〜（ｖ）のうちの１つを実行することに用いられる。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【００３２】
選択可能に、前記取得モジュールは、さらに、前記負荷に基づいて前記アップリンク伝送指示情報を復号し、復号結果に基づいて前記アップリンクデータ伝送用のプリコーディング行列を取得するように構成される。
【００３３】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【００３４】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【００３５】
選択可能に、前記取得モジュールは、具体的に、前記ＳＲＳリソースと参照信号ポートのマッピング関係情報、または、ＳＲＳポートと参照信号ポートのマッピング関係情報に基づいて、各参照信号ポートに対応するプリコーディングベクトル／行列を特定することと、各参照信号ポートに対応するプリコーディングベクトル／行列に基づいて、アップリンクデータ伝送用のプリコーディング行列を取得することに用いられる。
【００３６】
選択可能に、前記取得モジュールは、具体的に、前記ＳＲＳリソースとデータ層のマッピング関係情報、または、ＳＲＳポートとデータ層のマッピング関係情報に基づいて、各データ層に対応するプリコーディングベクトル／行列を特定することと、各データ層に対応するプリコーディングベクトル／行列に基づいて、アップリンクデータ伝送用のプリコーディング行列を取得することに用いられる。
【００３７】
選択可能に、前記端末は、前記アップリンク伝送指示情報と参照信号ポートのマッピング関係を前記基地局と取り決め、または、前記アップリンク伝送指示情報とデータ層のマッピング関係を前記基地局と取り決めるための取り決めモジュールをさらに含む。
【００３８】
選択可能に、前記端末は、アップリンク伝送指示情報を受信するための第３受信モジュールをさらに含む。
【００３９】
本開示は、メモリと、プロセッサと、トランシーバと、前記メモリに記憶されて前記プロセッサで実行可能なコンピュータプログラムを含む基地局をさらに提供する。前記プロセッサが前記コンピュータプログラムを実行すると、基地局に応用される前記データ伝送方法のステップが実現される。
【００４０】
本開示は、メモリと、プロセッサと、トランシーバと、前記メモリに記憶されて前記プロセッサで実行可能なコンピュータプログラムを含む端末をさらに提供する。前記プロセッサが前記コンピュータプログラムを実行すると、端末に応用される前記データ伝送方法のステップが実現される。
【００４１】
本開示は、コンピュータプログラムを記憶するためのコンピュータ読み取り可能な記憶媒体をさらに提供する。前記コンピュータプログラムがプロセッサによって実行されると、基地局に応用される前記データ伝送方法のステップが実現され、または、前記コンピュータプログラムがプロセッサによって実行されると、端末に応用される前記データ伝送方法のステップが実現される。
【発明の効果】
【００４２】
本開示において、ＳＲＳリソース構成情報とトランスポートストリーム数構成情報を送信することによって、アップリンク伝送指示情報に対応する負荷を特定し、ＮＲシステムにおけるアップリンク伝送のオーバヘッドまたは負荷を減少することができる。
【図面の簡単な説明】
【００４３】
【図１】本開示の一部実施例におけるデータ伝送方法のフローチャートである。
【図２】本開示の一部実施例におけるデータ伝送方法のフローチャートである。
【図３】本開示の一部実施例における基地局の構造図である。
【図４】本開示の一部実施例における端末の構造図である。
【図５】本開示の一部実施例における端末の構造図である。
【図６】本開示の一部実施例における基地局の構造図である。
【図７】本開示の一部実施例における端末の構造図である。
【発明を実施するための形態】
【００４４】
以下、図面と実施例を通じて、本開示の具体的な実施形態をさらに詳細に記載する。以下の実施例は、本開示を説明するためのものであり、本開示の範囲を制限するために用いられるものではない。
【００４５】
本開示のＳＲＳ（Ｓｏｕｎｄｉｎｇ  Ｒｅｆｅｒｅｎｃｅ  Ｓｉｇｎａｌ）は、チャネル品質測定および／またはチャネル推定および／または干渉測定などの機能を有するアップリンク参照信号であり、アップリンクサウンディング信号であってもよく、チャネル品質測定および／またはチャネル推定および／または干渉測定などの機能を有するほかのアップリンク参照信号であってもよいが、その名称によって本開示の範囲を限定することがない。たとえば、本開示におけるＳＲＳは、サウンディング参照信号であってもよい。
【００４６】
図１を参照する。図１は、本開示の一部実施例におけるデータ伝送方法である。図１に示すように、データ伝送方法は、基地局に応用され、以下のステップを含む。
【００４７】
ステップ１０１において、ＳＲＳリソース構成情報と、トランスポートストリーム数構成情報を送信する。
【００４８】
このステップにおいて、基地局は、ＳＲＳリソース構成情報と、トランスポートストリーム数構成情報を端末に送信する。ここで、ＳＲＳリソース構成情報は、ＳＲＳリソース数およびＳＲＳリソースのうちのＳＲＳポート数を含む。たとえば、基地局は、ＳＲＳリソース構成情報で端末に対しＮ（０より大きい正整数）個のＳＲＳリソースを設定し、各ＳＲＳリソースにはＭ（０より大きい正整数）個のＳＲＳポート数を含む。
【００４９】
ここで、トランスポートストリーム数構成情報は、特定のアップリンクデータに関するトランスポートストリーム数構成情報である。たとえば、トランスポートストリーム数構成情報は、ＰＵＳＣＨ（Ｐｈｙｓｉｃａｌ  Ｕｐｌｉｎｋ  Ｓｈａｒｅｄ  ＣＨａｎｎｅｌ）に関するトランスポートストリーム数構成情報である。また、たとえば、トランスポートストリーム数構成情報は、ＰＵＣＣＨ（Ｐｈｙｓｉｃａｌ  Ｕｐｌｉｎｋ  Ｃｏｎｔｒｏｌ  ＣＨａｎｎｅｌ）に関するトランスポートストリーム数構成情報である。それらに限られない。
【００５０】
ここで、トランスポートストリーム数構成情報は、端末の伝送可能な最大トランスポートストリーム数、最大ランク数またはデータ伝送に対応する最大参照信号ポート数などを含む。トランスポートストリーム数構成情報は、たとえば｛１｝または｛２｝または｛１，２，４｝など、端末の伝送可能なストリーム数の集合をさらに含んでもよい。
【００５１】
基地局から端末に送信されるトランスポートストリーム数構成情報は、ＲＲＣ（Ｒａｄｉｏ  Ｒｅｓｏｕｒｃｅ  Ｃｏｎｔｒｏｌ）シグナリングまたはＭＡＣ（Ｍｅｄｉａ  Ａｃｃｅｓｓ  Ｃｏｎｔｒｏｌ）シグナリングによって送信されてもよく、ＤＣＩ（Ｄｏｗｎｌｉｎｋ  Ｃｏｎｔｒｏｌ  Ｉｎｆｏｒｍａｔｉｏｎ）などの物理層シグナリングによって送信されてもよい。
【００５２】
なお、基地局から端末にトランスポートストリーム数構成情報を送信するステップと、基地局から端末にＳＲＳリソース構成情報を送信するステップとは、前後関係が限定されず、同じ種類のチャネルまたはシグナリングによって送信されることにも限定されない。たとえば、基地局は、ＲＲＣシグナリングまたはＭＡＣシグナリングによって端末にトランスポートストリーム数構成情報を送信し、それからＤＣＩによってＳＲＳリソース構成情報を端末に送信する。または、基地局は、１つのＤＣＩによってトランスポートストリーム数構成情報を端末に送信し、それから別のＤＣＩによってＳＲＳリソース構成情報を端末に送信する。
【００５３】
ステップ１０２において、アップリンク伝送指示情報を特定する。
【００５４】
当該ステップにおいて、基地局は、アップリンク伝送指示情報を特定する。
【００５５】
本開示の一部実施例において、アップリンク伝送指示情報は、目標指示情報と、マッピング関係情報のうちの少なくとも１つを含む。
【００５６】
ここで、目標指示情報は、ＳＲＩ、ＴＲＩ、ＳＲＳリソースのうちのＳＲＳポートの指示情報のうちの少なくとも１つを含む。マッピング関係情報は、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含む。ここで、前記データ層は、ＰＵＳＣＨデータ層やＰＵＣＣＨデータ層などのアップリンクデータ伝送のデータ層であってもよく、ＰＵＳＣＨの１つのコードワードやＰＵＣＣＨの１つのコードワードなど、アップリンクデータ伝送のコードワードであってもよく、１つのコードワードが複数の層に対応する。すなわち、データ層とのマッピング関係は、１つのデータ層に限定されない。参照信号ポートは、たとえばＤＭＲＳ（Ｄｅｍｏｄｕｌａｔｉｏｎ  Ｒｅｆｅｒｅｎｃｅ  Ｓｉｇｎａｌ）ポートやほかのＤＭＲＳポートなど、アップリンク参照信号ポートである。
【００５７】
選択可能に、基地局がアップリンク伝送指示情報を特定することは、端末からＳＲＳリソースで送信されるＳＲＳ信号を基地局が受信することと、ＳＲＳ信号に基づいてアップリンク伝送指示情報を特定することとを含む。
【００５８】
ステップ１０３において、ＳＲＳリソース構成情報およびトランスポートストリーム数構成情報に基づいて、アップリンク伝送指示情報に対応する負荷を特定する。
【００５９】
このステップにおいて、基地局は、ＳＲＳリソース構成情報およびトランスポートストリーム数構成情報に基づいて、アップリンク伝送指示情報に対応する負荷を特定する。
【００６０】
アップリンク伝送指示情報が以上の複数種類の情報の少なくとも１つの情報を含むため、アップリンク伝送指示情報に対応する負荷は、以上の複数種類の情報の少なくとも１つの情報に対応する負荷であると理解できる。
【００６１】
アップリンク伝送指示情報に対応する負荷の特定方式は、多種類の方式を含み、以下複数の実施形態を通じて具体的に記載する。
【００６２】
ステップ１０４において、アップリンク伝送指示情報を負荷によって端末に送信する。
【００６３】
このステップにおいて、基地局は、特定した負荷によってアップリンク伝送指示情報を端末に送信する。
【００６４】
以下、複数の実施形態から、アップリンク伝送指示情報に対応する負荷の特定方式を具体的に記載する。
【００６５】
選択可能に、前記の前記ＳＲＳリソース構成情報および前記トランスポートストリーム数構成情報に基づいて、前記アップリンク伝送指示情報に対応する負荷を特定することは、以下の（ｉ）〜（ｖ）のうちの１つを含む。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【００６６】
当該実施形態において、基地局から端末に対しＮ（０より大きい正整数）個のＳＲＳリソースを設定し、アップリンク伝送指示情報には、目標指示情報のたとえばＳＲＩ指示情報を含むとする。
【００６７】
１）ビットマッピングの方式で、前記目標指示情報を伝送する第１負荷が前記Ｎビットであると特定する。
【００６８】
ビットマッピングの方式に関し、基地局は、Ｎ個のビットですべてのＳＲＳリソースを符号化し、対応するビットが１であれば、基地局が当該ＳＲＳリソースを選択したと示すが、対応するビットが０であれば、基地局が当該ＳＲＳリソースを選択しなかったこととを示す。
【００６９】
たとえば、Ｎ＝４とする。基地局は、４ｂｉｔでＳＲＩを指示する。基地局からＳＲＩを指示するシグナリングが１０１０であれば、基地局がＳＲＩ＝０、ＳＲＩ＝２を指示したことを示し、すなわち、基地局が識別番号０、２のＳＲＳリソースを選択した。端末は、当該２つのＳＲＳリソースに対応するプリコーディング行列でＤＭＲＳ信号とアップリンクデータ信号のプリコーディングを行う。
【００７０】
２）各ＳＲＳリソースに対し
【数１】
2020530741.tif 000003
ビットで符号化し、基地局は、自身が選択したＳＲＳリソース識別番号のみを送信する。たとえば、基地局は、ｋ個のＳＲＳリソースを選択すると、
【数２】
2020530741.tif 000004
ビットでＳＲＳリソース指示情報を端末に送信する。ここで、前から
【数３】
2020530741.tif 000005
ビットは、１つのＳＲＳリソース識別番号に対応し、その後、
【数４】
2020530741.tif 000006
ビットずつに、１つのＳＲＳリソース識別番号が対応する。
【００７１】
前記目標指示情報を伝送する第１負荷を
【数５】
2020530741.tif 000007
ビットと特定し、前記Ｐは、正整数であり、前記端末の位置するネットワークで許容されるアップリンク伝送の最大アンテナポート数または最大トランスポートストリーム数を示す。たとえば、ＳＲＩの合計ビット数は、アップリンクデータ伝送で許容される最大アンテナポート数またはストリーム数に基づいて特定される。アップリンクデータ伝送で許容される最大ストリーム数をＰとすると、ＳＲＩの合計ビットは、
【数６】
2020530741.tif 000008
ビットである。
【００７２】
前記目標指示情報を伝送する第１負荷を
【数７】
2020530741.tif 000009
ビットと特定し、前記Ｌは、正整数であり、前記端末の最大アップリンク伝送力で許容される最大トランスポートストリーム数を示す。たとえば、ＳＲＩの合計ビット数は、端末の最大アップリンク伝送力に基づいて特定される。端末の最大アップリンク伝送力で許容される最大アップリンクトランスポートストリーム数をＬとすると、ＳＲＩの合計ビットは、
【数８】
2020530741.tif 000010
ビットである。
【００７３】
前記目標指示情報を伝送する第１負荷を
【数９】
2020530741.tif 000011
ビットと特定し、前記Ｋは、正整数であり、前記トランスポートストリーム数構成情報のうちの最大ストリーム数を示す。たとえば、ＳＲＩの合計ビット数は、基地局から端末に送信されるトランスポートストリーム数構成情報に基づいて特定される。基地局から端末に送信されるトランスポートストリーム数構成情報が最大ストリーム数指示シグナリングでありかつ最大ストリーム数がＫであると指示すると、ＳＲＩの合計ビットは、
【数１０】
2020530741.tif 000012
ビットである。
【００７４】
前記目標指示情報を伝送する第１負荷を
【数１１】
2020530741.tif 000013
ビットと特定し、前記Ｚは、正整数であり、前記トランスポートストリーム数構成情報で指示されるストリーム数集合の中の元素の最大値を示す。
【００７５】
前記目標指示情報を伝送する第１負荷を
【数１２】
2020530741.tif 000014
ビットと特定し、前記Ｑは、正整数であり、前記トランスポートストリーム数構成情報で指示されるストリーム数集合の中の元素の数を示す。たとえば、基地局から端末に送信されるトランスポートストリーム数構成情報が基地局に許容される送信ストリーム数の集合でありかつ当該集合のうち計Ｑ個の元素を有すると、ＳＲＩの合計ビットは、
【数１３】
2020530741.tif 000015
ビットである。
【００７６】
３）選択可能なＳＲＳリソースの可能数に基づいて、前記目標指示情報を伝送する第１負荷を特定する。
【００７７】
たとえば前記基地局がＮ個のＳＲＳリソースからｎ（前記Ｎ以下の正整数）個のＳＲＳリソースを選択することに対応する組み合わせ数が
【数１４】
2020530741.tif 000016
であり、前記目標指示情報を伝送する第１負荷を
【数１５】
2020530741.tif 000017
ビットに特定する。前記
【数１６】
2020530741.tif 000018
は、前記基地局がＮ個のＳＲＳリソースからｎ個のＳＲＳリソースを選択することに対応する組み合わせ数である。
【００７８】
たとえばＳＲＩの合計ビット数は、基地局から設定されるＳＲＳリソースのすべてのありうるＳＲＳリソース識別番号の組み合わせの共同符号化である。たとえばＳＲＳリソース＃０のみ、ＳＲＳリソース＃１のみ、ＳＲＳリソース＃１，３、ＳＲＳリソース＃１，２，４など、すべてのありうる状況を考慮した場合、端末に対しＮ個のＳＲＳリソースが設定されると、対応するすべてのありうるＳＲＳリソース組み合わせ数が
【数１７】
2020530741.tif 000019
種類であるため、ＳＲＳリソース指示情報の符号化ビット数は、
【数１８】
2020530741.tif 000020
である。
【００７９】
前記目標指示情報を伝送する第１負荷を
【数１９】
2020530741.tif 000021
ビットに特定し、前記Ｐは、正整数であり、前記端末で許容される最大アンテナポート数または最大トランスポートストリーム数を示す。
【００８０】
たとえば、ＳＲＩの合計ビット数は、基地局が、設定したＳＲＳリソースから、１〜アップリンクデータ伝送で許容される最大アンテナポート数またはストリーム数個のＳＲＳリソースを選択する場合、すべてのありうるＳＲＳリソース識別番号の組み合わせの共同符号化である。アップリンクデータ伝送で許容される最大ストリーム数をＰとすると、ＳＲＩの合計ビット数は、
【数２０】
2020530741.tif 000022
ビットである。
【００８１】
前記目標指示情報を伝送する第１負荷を
【数２１】
2020530741.tif 000023
ビットに特定し、前記Ｌは、正整数であり、前記端末の最大アップリンク伝送力で許容される最大トランスポートストリーム数を示す。
【００８２】
たとえば、ＳＲＩの合計ビット数は、基地局が、設定したＳＲＳリソースから、１〜端末の最大アップリンク伝送力で許容される最大アップリンクトランスポートストリーム数個のＳＲＳリソースを選択する場合、すべてのありうるＳＲＳリソース識別番号の組み合わせの共同符号化である。端末の最大アップリンク伝送力で許容される最大アップリンクトランスポートストリーム数をＬとすると、ＳＲＩの合計ビット数は、
【数２２】
2020530741.tif 000024
ビットである。
【００８３】
前記目標指示情報を伝送する第１負荷を
【数２３】
2020530741.tif 000025
ビットに特定し、前記Ｋは、正整数であり、前記トランスポートストリーム数構成情報のうちの最大ストリーム数を示す。
【００８４】
たとえば、ＳＲＩの合計ビット数は、基地局が、設定したＳＲＳリソースから、１〜基地局から端末に対し設定した許容可能な最大ストリーム数個のＳＲＳリソースを選択する場合、すべてのありうるＳＲＳリソース識別番号の組み合わせの共同符号化である。基地局から端末に送信されるトランスポートストリーム数構成情報が最大ストリーム数指示シグナリングでありかつ最大ストリーム数がＫであると指示すると、ＳＲＩの合計ビット数は、
【数２４】
2020530741.tif 000026
ビットである。
【００８５】
前記目標指示情報を伝送する第１負荷を
【数２５】
2020530741.tif 000027
ビットに特定し、前記Ｑは、正整数であり、前記トランスポートストリーム数構成情報で指示されるストリーム数集合の中の元素の数を示す。
【００８６】
たとえば、基地局から端末に送信されるトランスポートストリーム数構成情報が基地局で許容される送信ストリーム数の集合でありかつ当該集合がＱであると、ＳＲＩの合計ビット数は、
【数２６】
2020530741.tif 000028
ビットである。
【００８７】
４）目標指示情報の第１負荷を一定負荷に指定してもよい。たとえば、前記目標指示情報を伝送する第１負荷をＹビットに特定し、前記Ｙは、上記のいずれか一項に特定された第１負荷以上の正整数である。
【００８８】
たとえば、ＳＲＩの合計ビット数は、規定された１つのビット数である。たとえば、プロトコルでは、ＳＲＩの合計ビット数が規定されている。たとえば、プロトコルでは、ＳＲＩの合計ビット数を１１または１２またはほかの数値に規定する。すると、プロトコルで規定されたビット数のＳＲＩで符号化を行う。
【００８９】
当該実施形態において、目標指示情報とマッピング関係情報は、単独符号化が可能である。
【００９０】
前記マッピング関係情報は、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含む。
【００９１】
マッピング関係情報は、ＳＲＳリソースとＤＭＲＳポートの空間ＱＣＬ（Ｑｕａｓｉ  ｃｏ−ｌｏｃａｔｉｏｎ）情報を含んでもよく、ＳＲＳリソースとＰＵＳＣＨデータストリームの空間ＱＣＬ情報を含んでもよい。本実施例において、単にＳＲＳリソースとＤＭＲＳポートの空間ＱＣＬ情報を例として記載するが、すべての形態は、ＳＲＳリソースとＰＵＳＣＨデータストリームの空間ＱＣＬ情報を指示するケースに適用可能である。
【００９２】
ここでマッピング関係情報とは、マッピング関係を特定するための情報である。信号Ａと信号Ｂの空間ＱＣＬ情報とは、信号Ａと信号Ｂとは空間ＱＣＬを有すると特定する情報を指す。ここで、信号Ａと信号Ｂの空間ＱＣＬは、仮に信号Ａと信号Ｂとは同じ空間特性を有することに対応する。たとえば、信号Ａと信号Ｂとは空間ＱＣＬを有することは、信号Ａと信号Ｂとは同じ送信プリコーディング行列／ビームを有し、または信号Ａと信号Ｂとは同じ受信プリコーディング行列／ビームを有することを指す。たとえば、１つのＳＲＳリソースと１つのＤＭＲＳポートの空間ＱＣＬとは、１つのＳＲＳリソースのうちのすべてのＳＲＳポートと１つのＤＭＲＳポートとは同じ送信プリコーディング行列／ビームを使用することを指す。１つのＳＲＳポートと１つのＰＵＳＣＨデータストリームの空間ＱＣＬとは、１つのＰＵＳＣＨデータストリームが１つのＳＲＳポートと同じプリコーディング行列／ビームで送信されることを指す。
【００９３】
１）１つの基地局から設定されるＳＲＳリソースとＤＭＲＳポートの空間ＱＣＬ関係を、基地局と端末の間で予め取り決め（プロトコルで直接的に規定する）、または、基地局から端末にシグナリングによって送信する。基地局から端末に対しＮ個のＳＲＳリソースを設定したことを例とする。
【００９４】
このような関係は、基地局から設定されるＳＲＳリソースとＤＭＲＳポートのＱＣＬ関係である。
【００９５】
当該関係は、テーブル形式であってもよく、たとえば以下の形式である。
【００９６】
【表１】
2020530741.tif 000029
【００９７】
ここでＸｋは、１つのＤＭＲＳポートの識別番号を示す。たとえば、０，１，２，３…である。最多でＷ個のＤＭＲＳポートが許容可能であるとすると、Ｘｋは、０からＷ−１の整数を取る。例えば典型的なテーブルは、以下である。
【００９８】
【表２】
2020530741.tif 000030
【００９９】
当該関係は、言語記述方式であってもよい。たとえば、基地局から設定されるＳＲＳリソースの識別番号とＤＭＲＳポートの識別番号とは対応する。当該対応は、たとえば一対一に対応する。すなわち、ＳＲＩの識別番号は、ＤＭＲＳポート番号とは一対一に対応する。同じ識別番号のＳＲＳリソースとＤＭＲＳポートとは空間ＱＣＬ関係を有する。
【０１００】
このような方式では、基地局は、ＳＲＩを特定すると、それ以上ＳＲＳリソースとＤＭＲＳポートの空間ＱＣＬ情報を送信する必要がない。
【０１０１】
しかし、ＳＲＳリソースとＤＭＲＳポートとの空間ＱＣＬ関係テーブルは、基地局によるシグナリング送信方式であれば、基地局は、端末に対し再度ＳＲＳリソースを設定する際に関係テーブルを更新する必要がある。
【０１０２】
２）このような関係は、基地局によって選択されるＳＲＳリソースとＤＭＲＳポートとの空間ＱＣＬ関係である。基地局と端末とは、基地局によって選択されるＳＲＳリソースが、識別番号によって、ＤＭＲＳポートの識別番号とは一定のマッピング関係を有し、対応するＳＲＳリソースとＤＭＲＳポートとは空間ＱＣＬ関係を有すると取り決める（プロトコルで規定する）。たとえば、基地局と端末とは、基地局によって選択されるＳＲＳリソースが、識別番号の小さい順に、ＤＭＲＳポートの識別番号とは小さい順に対応し、対応するＳＲＳリソースとＤＭＲＳポートとは空間ＱＣＬ関係を有すると取り決める（プロトコルで規定する）。たとえば、基地局によって選択されるＳＲＳリソースに対応するＳＲＩは、それぞれ０、３である。すると、ＳＲＳリソースとＤＭＲＳポートとは、以下のＱＣＬ関係を有する。
【０１０３】
【表３】
2020530741.tif 000031
【０１０４】
空間ＱＣＬルールを予め取り決めたため、基地局は、ＳＲＳリソースを選択し、端末に送信するＳＲＩを特定すると、ＳＲＩ＝０とＳＲＩ＝３の２つのＳＲＩのみを送信する必要があり、基地局によって選択されるＳＲＳリソースとＤＭＲＳポートとのＱＣＬ関係を送信する必要がない。
【０１０５】
３）このような関係は、基地局によって選択されるＳＲＳリソースとＤＭＲＳポートとの空間ＱＣＬ関係である。基地局は、選択されたＳＲＳリソースの順番を端末に送信する必要があり、すなわち、ＳＲＳ指示情報のうちのＳＲＳリソースとＤＭＲＳポートとの空間ＱＣＬ情報がＳＲＳリソース順番情報である。基地局と端末とは、基地局によって選択されるＳＲＳリソースが、選択されたＳＲＳリソースが基地局から端末に送信される順番の識別番号によって、ＤＭＲＳポートの識別番号とは一定の対応関係を有すると取り決める（プロトコルで規定する）。たとえば、基地局と端末とは、基地局によって選択されるＳＲＳリソースが、選択されたＳＲＳリソースが基地局から端末に送信される順番の識別番号によって、ＤＭＲＳポートの識別番号とは小さい順に対応し、対応するＳＲＳリソースとＤＭＲＳポートとは空間ＱＣＬ関係を有すると取り決める（プロトコルで規定する）。たとえば、基地局によって選択されるＳＲＳリソースに対応するＳＲＩは、それぞれ０、３である。すると、ＳＲＳリソースとＤＭＲＳポートとは、以下の２種類の空間ＱＣＬ関係を有する。
【０１０６】
【表４】
2020530741.tif 000032
【０１０７】
または、
【表５】
2020530741.tif 000033
【０１０８】
基地局は、選択されたＳＲＳリソースの順番が（ＳＲＩ＝０，ＳＲＩ＝３）であるか、それとも（ＳＲＩ＝３，ＳＲＩ＝０）であるかを端末に送信する必要がある。すなわち、ＳＲＳ指示情報のうちのＳＲＳリソースとＤＭＲＳポートとの空間ＱＣＬ情報は、ＳＲＳリソース順番情報である。
【０１０９】
４）マッピング関係情報（たとえばＳＲＳリソース順番情報）は、単独符号化が可能である。
【０１１０】
前記マッピング関係情報を伝送する第３負荷を
【数２７】
2020530741.tif 000034
ビットに特定し、前記
【数２８】
2020530741.tif 000035
は、Ｘ（正整数）個の元素が任意の順番の排列に対応する排列数を示す。
【０１１１】
たとえば、ＳＲＳリソース順番情報の符号化に必要されるビット数は、基地局によって選択されるＳＲＳリソース数に基づいて特定される。基地局によって選択されたＳＲＳリソース数がＸであると、ＳＲＳリソース順番の符号化ビット数は、
【数２９】
2020530741.tif 000036
ビットであり、ここで、
【数３０】
2020530741.tif 000037
は、Ｘ個の元素が任意の順番で排列するすべてのありうる排列数を示す。
【０１１２】
前記マッピング関係情報を伝送する第３負荷を
【数３１】
2020530741.tif 000038
ビットに特定し、前記Ｐは、正整数であり、前記端末で許容される最大アンテナポート数または最大トランスポートストリーム数を示す。
【０１１３】
たとえば、ＳＲＳリソース順番情報の符号化に必要されるビット数は、アップリンクデータ伝送で許容される最大アンテナポート数またはストリーム数に基づいて特定される。アップリンクデータ伝送で許容される最大ストリーム数をＰとすると、ＳＲＳリソース順番の符号化ビット数は、
【数３２】
2020530741.tif 000039
ビットである。
【０１１４】
前記マッピング関係情報を伝送する第３負荷を
【数３３】
2020530741.tif 000040
ビットに特定し、前記Ｌは、正整数であり、前記端末の最大アップリンク伝送力で許容される最大トランスポートストリーム数を示す。
【０１１５】
たとえば、ＳＲＳリソース順番情報の符号化に必要されるビット数は、端末の最大アップリンク伝送力に基づいて特定される。端末の最大アップリンク伝送力で許容される最大アップリンクトランスポートストリーム数をＬとすると、ＳＲＳリソース順番の符号化ビット数は、
【数３４】
2020530741.tif 000041
ビットである。
【０１１６】
前記マッピング関係情報を伝送する第３負荷を
【数３５】
2020530741.tif 000042
ビットに特定し、前記Ｋは、正整数であり、前記トランスポートストリーム数構成情報のうちの最大ストリーム数を示す。
【０１１７】
たとえば、基地局から端末に送信されるトランスポートストリーム数構成情報が最大ストリーム数指示シグナリングでありかつ最大ストリーム数がＫであると指示すると、ＳＲＳリソース順番の符号化ビット数は、
【数３６】
2020530741.tif 000043
ビットである。ここで、
【数３７】
2020530741.tif 000044
は、Ｘ個の元素が任意の順番で排列するすべてのありうる排列数を示す。
【０１１８】
前記マッピング関係情報を伝送する第３負荷を
【数３８】
2020530741.tif 000045
ビットに特定し、前記Ｑは、正整数であり、前記トランスポートストリーム数構成情報で指示されるストリーム数集合の中の元素の数を示す。
【０１１９】
たとえば、基地局から端末に送信されるトランスポートストリーム数構成情報が基地局で許容される送信ストリーム数の集合でありかつ当該集合内の最大値が
【数３９】
2020530741.tif 000046
であると、ＳＲＳリソース順番の符号化ビット数は、
【数４０】
2020530741.tif 000047
ビットである。
【０１２０】
５）前から２種類の方式の組み合わせである。
【０１２１】
基地局は、基地局によって選択されたＳＲＳリソースとＤＭＲＳポートとのＱＣＬ関係をどのような方式で特定するかを指示するための方式指示シグナリングを端末に送信する。
【０１２２】
たとえば、基地局は、１ビットのシグナリングを端末に送信する。当該シグナリングは、方式２を採用することを示す状態と、方式３を採用することを示す状態との２種類の状態を含む。当該シグナリングは、静的または半静的シグナリングである。
【０１２３】
６）目標指示情報とマッピング関係情報とは、共同符号化が可能である。たとえば、ＳＲＩと、ＳＲＳリソースとＤＭＲＳポートとの空間ＱＣＬ情報とは、共同符号化が可能である。
【０１２４】
１つの共同符号化方式として、ＳＲＩに用いられるビットと、ＳＲＳリソースとＤＭＲＳポートとの空間ＱＣＬ情報に用いられるビットを特定すると、つなぎ合せて共同符号化を行う。ＳＲＩに用いられるビットと、ＳＲＳリソースとＤＭＲＳポートとの空間ＱＣＬ情報に用いられるビットは、以上紹介した単独符号化方式と同じ方式で特定されてもよい。ＳＲＩに必要なビット数をＵ、ＳＲＳリソースとＤＭＲＳポートとの空間ＱＣＬ情報に必要なビット数をＶとすると、共同符号化に必要なビット数は、Ｕ＋Ｖである。
【０１２５】
１つの共同符号化方式として、ＳＲＩの値の可能数と、ＳＲＳリソースとＤＭＲＳポートとの空間ＱＣＬ情報の値の可能数に基づいて、共同符号化の値の可能数を特定し、合計ビット数を特定して共同符号化を行う。ＳＲＩの値の可能数と、ＳＲＳリソースとＤＭＲＳポートとの空間ＱＣＬ情報の値の可能数は、以上紹介した方式で特定されてもよい。ＳＲＩの値の可能数をＵ、ＳＲＳリソースとＤＭＲＳポートとの空間ＱＣＬ情報の値の可能数をＶとすると、共同符号化の値の可能数は、Ｕ×Ｖであり、符号化ビット数は、
【数４１】
2020530741.tif 000048
である。
【０１２６】
１つの共同符号化方式として、ＳＲＳ指示情報のうちのＳＲＳリソースとＤＭＲＳポートとの空間ＱＣＬ情報がＳＲＳリソース順番情報である。基地局と端末とは、基地局によって選択されるＳＲＳリソースが、選択されるＳＲＳリソースが基地局から端末へ送信される順番の識別番号によって、ＤＭＲＳポートの識別番号とは一定の対応関係が存在すると取り決める（プロトコルで規定する）。たとえば、基地局と端末とは、基地局によって選択されるＳＲＳリソースが、選択されるＳＲＳリソースが基地局から端末へ送信される順番の識別番号によって、ＤＭＲＳポートの識別番号とは小さい順に対応し、対応するＳＲＳリソースとＤＭＲＳポートとは空間ＱＣＬ関係を有すると取り決める（プロトコルで規定する）。ＳＲＳリソース順番情報は、ＳＲＩビット数特定の１種の方式に対応するビット数によって、ＳＲＩとは共同に送信される。ここで、
【数４２】
2020530741.tif 000049
ずつのビットに対応するＳＲＩの順番は、ＳＲＳリソースの順番を特定する。たとえば、計
【数４３】
2020530741.tif 000050
個のビットがあり、前から
【数４４】
2020530741.tif 000051
個のビットでＳＲＩ＝１を指示し、真ん中の
【数４５】
2020530741.tif 000052
個のビットでＳＲＩ＝３を指示し、末尾
【数４６】
2020530741.tif 000053
個のビットでＳＲＩ＝０を指示する。すると、基地局によって選択されたＳＲＩがＳＲＩ＝０、ＳＲＩ＝１およびＳＲＩ＝３であると指示し、ＳＲＳリソース順番情報は、｛ＳＲＩ＝１，  ＳＲＩ＝３，  ＳＲＩ＝０｝である。
【０１２７】
１つの共同符号化方式として、ＳＲＳリソース順番情報とＳＲＩを共同にした組み合わせ数が、基地局によって選択されるＳＲＩのすべての可能数とこれらＳＲＩの排列可能数の積である。すなわち、前記マッピング関係情報を伝送する第３負荷を
【数４７】
2020530741.tif 000054
ビットに特定し、前記
【数４８】
2020530741.tif 000055
は、Ｎ個の元素からＸ（正整数）個の元素を選択することに対応する組み合わせ数を示し、前記
【数４９】
2020530741.tif 000056
は、Ｘ個の元素が任意の順番で排列することに対応する排列数を示す。または、前記マッピング関係情報を伝送する第３負荷を
【数５０】
2020530741.tif 000057
ビットに特定し、前記Ｐは、正整数であり、前記端末で許容される最大アンテナポート数または最大トランスポートストリーム数を示す。または、前記マッピング関係情報を伝送する第３負荷を
【数５１】
2020530741.tif 000058
ビットに特定し、前記Ｌは、正整数であり、前記端末の最大アップリンク伝送力で許容される最大トランスポートストリーム数を示す。または、前記マッピング関係情報を伝送する第３負荷を
【数５２】
2020530741.tif 000059
ビットに特定し、前記Ｋは、正整数であり、前記トランスポートストリーム数構成情報のうちの最大ストリーム数を示す。または、前記マッピング関係情報を伝送する第３負荷を
【数５３】
2020530741.tif 000060
ビットに特定し、前記Ｑは、正整数であり、前記トランスポートストリーム数構成情報で指示されるストリーム数集合の中の元素の数を示す。
【０１２８】
選択可能に、前記の前記ＳＲＳリソース構成情報および前記トランスポートストリーム数構成情報に基づいて、前記アップリンク伝送指示情報に対応する負荷を特定することは、前記基地局がＳＲＳ信号を測定し、測定結果に基づいてＴＲＩおよび／またはＳＲＳリソースおよび／またはＳＲＳポートを選択することを含む。前記アップリンク伝送指示情報に対応する負荷は、前記基地局によって選択されたＴＲＩ数および／またはＳＲＳポート数および／またはＳＲＳリソース数と前記ＳＲＳリソース構成情報の関数である。
【０１２９】
当該実施形態において、基地局から端末に対し１つのＳＲＳリソースを設定し、１つのＳＲＳリソースには複数のＳＲＳポートを含む。または、基地局から端末に対し複数のＳＲＳリソースを設定し、各ＳＲＳリソースには複数のＳＲＳポートを含む。基地局から端末にトランスポートストリーム数構成情報を送信する。トランスポートストリーム数構成情報は、基地局に許容される端末の最大送信ストリーム数、最大ランク数またはデータ伝送に対応する最大ＤＭＲＳポート数である。トランスポートストリーム数指示シグナリングは、たとえば｛１｝または｛２｝または｛１，２，４｝など、基地局に許容される送信ストリーム数の集合である。
【０１３０】
基地局は、端末から送信されるＳＲＳリソースに基づいて、端末のアップリンクデータ伝送のストリーム数ＴＲＩ（Ｔｒａｎｓｍｉｔ  Ｒａｎｋ  Ｉｎｄｉｃａｔｏｒ）を特定する。基地局から、ＳＲＩおよび／またはＴＲＩ、および／またはＳＲＳポートとＤＭＲＳポートのＱＣＬ情報、またはＳＲＳポートとＰＵＳＣＨデータ層／ストリーム／コードワード）のＱＣＬ情報を端末に送信する。
【０１３１】
ＴＲＩと、ＳＲＳポートとＤＭＲＳポートのＱＣＬ情報とは、単独符号化または共同符号化が可能である。端末は、ＴＲＩに基づいて、アップリンクデータ伝送の層数またはストリーム数を特定可能である。
【０１３２】
基地局から端末に対し１つのＳＲＳリソースを設定し、または基地局からＳＲＩによって１つのＳＲＳリソースを指示し、当該ＳＲＳリソースにはＭ（１より大きい正整数）個のＳＲＳポートを含むとすると、ＴＲＩ≦Ｍ。ＴＲＩの負荷および符号化方式は、以下である。
【０１３３】
１）ＴＲＩのビット数は、Ｍによって特定される。たとえば第ｋ個のＳＲＳリソースに対応するＴＲＩの値の可能数は、アンテナポート数Ｍの関数である。たとえば、ＴＲＩの値は、設定されたアンテナポート数に等しくなるように一定され、すなわち、ＴＲＩの値の可能数が１であり、ＴＲＩに対応するビット数が１または０（０は、ＴＲＩを送信しないことを示す。たとえば、基地局と端末とは、ＴＲＩの値が、設定されたアンテナポート数に等しくなるように一定されると取り決める場合）である。たとえば、１，２，…，Ｍ個のデータストリームの伝送がＭ個のアンテナポートにマッピングすることが許容されると、ＴＲＩの値の可能数は、アンテナポート数Ｍに等しく、ＴＲＩのビット数は、
【数５４】
2020530741.tif 000061
である。
【０１３４】
２）前記ＴＲＩを伝送する第６負荷を
【数５５】
2020530741.tif 000062
ビットに特定し、前記ｋは、正整数であり、前記Ｍｋは、第ｋ個のＳＲＳリソースのポート数であり、前記
【数５６】
2020530741.tif 000063
は、前記ＳＲＳリソースのポート数の最大値である。
【０１３５】
３）前記ＴＲＩを伝送する第６負荷を
【数５７】
2020530741.tif 000064
ビットに特定し、前記Ｐは、正整数であり、前記端末で許容される最大アンテナポート数または最大トランスポートストリーム数を示す。
【０１３６】
４）前記ＴＲＩを伝送する第６負荷を
【数５８】
2020530741.tif 000065
ビットに特定し、前記Ｌは、正整数であり、前記端末の最大アップリンク伝送力で許容される最大トランスポートストリーム数を示す。
【０１３７】
５）前記ＴＲＩを伝送する第６負荷を
【数５９】
2020530741.tif 000066
ビットに特定し、前記Ｋは、正整数であり、前記トランスポートストリーム数構成情報のうちの最大ストリーム数を示す。
【０１３８】
６）前記ＴＲＩを伝送する第６負荷を
【数６０】
2020530741.tif 000067
ビットに特定し、前記Ｑは、正整数であり、前記トランスポートストリーム数構成情報で指示されるストリーム数集合の中の元素の数を示す。
【０１３９】
当該実施形態において、ＴＲＩと、ＳＲＳポートとＤＭＲＳポートとのＱＣＬ情報は、単独符号化が可能である。
【０１４０】
前記マッピング関係情報は、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含む。
【０１４１】
マッピング関係情報は、ＳＲＳリソースとＤＭＲＳポートの空間ＱＣＬ情報を含んでもよく、ＳＲＳリソースとＰＵＳＣＨデータストリームの空間ＱＣＬ情報を含んでもよい。本実施例において、単にＳＲＳリソースとＤＭＲＳポートの空間ＱＣＬ情報を例として記載するが、すべての形態は、ＳＲＳリソースとＰＵＳＣＨデータストリームの空間ＱＣＬ情報を指示するケースに適用可能である。
【０１４２】
１）基地局と端末とは、ＴＲＩとＳＲＳポートとは一定のマッピング関係を有すると取り決める（プロトコルで規定する）。たとえば、ＴＲＩ＝１は、ＳＲＳポート０に対応し、ＴＲＩ＝２は、ＳＲＳポート０，１に対応し、ＴＲＩ＝３は、ＳＲＳポート０，１、２に対応し、このように類推する。ＴＲＩに対応するＳＲＳポートは、識別番号によって、ＤＭＲＳポートの識別番号とは一定のマッピング関係を有し、対応するＳＲＳポートとＤＭＲＳポートとはＱＣＬ関係を有する。このような方式において、基地局は、ＴＲＩを特定すると、ＳＲＳポートとＤＭＲＳポートとのＱＣＬ関連情報を送信する必要がない。
【０１４３】
２）基地局は、ＴＲＩを特定した後に、基地局によって選択されたＳＲＳポート選択情報を送信する必要がある。ＴＲＩ＝Ｒとする。この場合、ＳＲＳポートとＤＭＲＳポートとのＱＣＬ情報には、ＳＲＳポート選択情報をさらに含む。ＳＲＳポート選択のビット数は、たとえば前記ビットマッピングの方式である。各ＳＲＳリソースに対し
【数６１】
2020530741.tif 000068
ビットで符号化し、基地局から
【数６２】
2020530741.tif 000069
ビットでＳＲＳポート選択情報を端末に送信してもよい。ＳＲＳポート選択情報のビット数は、基地局が、設定したＮ個のＳＲＳポートから、ＴＲＩ＝Ｒ個のＳＲＳリソースを選択する場合、すべてのありうるＳＲＳポート識別番号の組み合わせの共同符号化である。すると、ＳＲＳポート選択情報の合計ビット数は、
【数６３】
2020530741.tif 000070
ビットである。ＳＲＳポート選択情報のビット数は、規定された１つのビット数である。
【０１４４】
１つの方式として、基地局と端末とは、基地局によって選択されたＳＲＳポートが、識別番号によって、ＤＭＲＳポートの識別番号とは一定のマッピング関係を有し、対応するＳＲＳポートとＤＭＲＳポートとはＱＣＬ関係を有すると取り決める（プロトコルで規定する）。たとえば基地局と端末とは、基地局によって選択されたＳＲＳポートが、識別番号の小さい順に、ＤＭＲＳポートの識別番号とは小さい順に対応し、対応するＳＲＳポートとＤＭＲＳポートとは空間ＱＣＬ関係を有する。たとえば、基地局によって選択されたＳＲＳポートに対応するＳＲＩは、それぞれ０、３である。すると、ＳＲＳポートとＤＭＲＳポートとは、以下のＱＣＬ関係を有する。
【０１４５】
【表６】
2020530741.tif 000071
【０１４６】
基地局からＳＲＳポート選択情報を送信すると、端末が当該ＳＲＳポート選択情報に基づいてＴＲＩを特定し、基地局から端末にＴＲＩを送信しなくてもよい。
【０１４７】
３）基地局は、ＴＲＩを特定した後に、基地局によって選択されたＳＲＳポート選択情報を送信するほか、基地局によって選択されたＳＲＳポートとＤＭＲＳポートとの空間ＱＣＬ関係を送信する必要がある。基地局は、選択されたＳＲＳポートの順番を送信する必要があり、すなわちＳＲＳ指示情報のうちのＳＲＳポートとＤＭＲＳポートとのＱＣＬ情報がＳＲＳポート順番情報である。基地局と端末とは、基地局によって選択されたＳＲＳポートが、選択されたＳＲＳポートが基地局から端末へ送信される順番の識別番号によって、ＤＭＲＳポートの識別番号とは一定の対応関係を有すると取り決める（プロトコルで規定する）。たとえば基地局と端末とは、基地局によって選択されたＳＲＳポートが、選択されたＳＲＳポートが基地局から端末へ送信される順番の識別番号によって、ＤＭＲＳポートの識別番号とは小さい順に対応し、対応するＳＲＳポートとＤＭＲＳポートとは空間ＱＣＬ関係を有すると取り決める（プロトコルで規定する）。たとえば、基地局によって選択されたＳＲＳポートは、０、３である。すると、ＳＲＳポートとＤＭＲＳポートとは、以下の２種類のＱＣＬ関係を有する。
【０１４８】
【表７】
2020530741.tif 000072
【０１４９】
または、
【表８】
2020530741.tif 000073
【０１５０】
基地局は、選択されたＳＲＳポートの順番が（ＳＲＳポート０，ＳＲＳポート３）であるか、それとも（ＳＲＳポート３，ＳＲＳポート０）であるかを端末に送信する必要がある。すなわち、ＳＲＳ指示情報のうちのＳＲＳポートとＤＭＲＳポートとの空間ＱＣＬ情報は、ＳＲＳポート順番情報である。
【０１５１】
ＳＲＳポート順番情報は、単独符号化が可能である。
【０１５２】
ＳＲＳポート順番情報の符号化に必要なビット数は、ＴＲＩに基づいて特定される。ＴＲＩ＝Ｒの場合、ＳＲＳポート順番の符号化ビット数は、
【数６４】
2020530741.tif 000074
ビットである。ここで、
【数６５】
2020530741.tif 000075
は、Ｘ個の元素が任意の順番で排列するすべてのありうる排列数である。
【０１５３】
ＳＲＳポート順番情報は、ＳＲＳポート選択情報とは共同送信できる。たとえば、基地局は、当該共同情報を
【数６６】
2020530741.tif 000076
ビットで端末に送信する。
【数６７】
2020530741.tif 000077
ずつのビットの内容は、１つのＳＲＳポートに対応し、その順番がＳＲＳポートの順番に対応する。
【０１５４】
４）基地局は、基地局によって選択されたＳＲＳポートとＤＭＲＳポートとのＱＣＬ関係を上記方式のうちのどの方式で特定するかを指示するための方式指示シグナリングを端末に送信する。当該シグナリングは、そのうちの２種類または３種類のうちから選択して指示する。
【０１５５】
たとえば、基地局は、１ビットのシグナリングを端末に送信する。当該シグナリングは、方式２を採用することを示す状態と、方式３を採用することを示す状態との２種類の状態を含む。当該シグナリングは、静的または半静的シグナリングである。
【０１５６】
当該実施形態において、ＴＲＩと、ＳＲＳポートとＤＭＲＳポートとの空間ＱＣＬ関係とは、共同符号化が可能である。
【０１５７】
１つの共同符号化方式として、ＴＲＩに用いられるビットと、ＳＲＳポートとＤＭＲＳポートとの空間ＱＣＬ情報に用いられるビットを特定すると、つなぎ合せて共同符号化を行う。ＳＲＩに用いられるビットと、ＳＲＳポートとＤＭＲＳポートとの空間ＱＣＬ情報に用いられるビットは、以上紹介した単独符号化方式と同じ方式で特定されてもよい。ＴＲＩに必要なビット数をＵ、ＳＲＳポートとＤＭＲＳポートとの空間ＱＣＬ情報に必要なビット数をＶとすると、共同符号化に必要なビット数は、Ｕ＋Ｖである。
【０１５８】
１つの共同符号化方式として、ＴＲＩの値の可能数と、ＳＲＳポートとＤＭＲＳポートとの空間ＱＣＬ情報の値の可能数に基づいて共同符号化の値の可能数を特定し、合計ビット数を特定して共同符号化を行う。ＴＲＩの値の可能数と、ＳＲＳポートとＤＭＲＳポートとの空間ＱＣＬ情報の値の可能数は、以上紹介した方式で特定されてもよい。ＳＲＩの値の可能数をＵ、ＳＲＳポートとＤＭＲＳポートとの空間ＱＣＬ情報の値の可能数をＶとすると、共同符号化の値の可能数は、Ｕ×Ｖであり、符号化ビット数は、
【数６８】
2020530741.tif 000078
である。
【０１５９】
１つの共同符号化方式として、ＳＲＳ指示情報のうちのＳＲＳポートとＤＭＲＳポートとの空間ＱＣＬ情報がＳＲＳポート順番情報である。基地局と端末とは、基地局によって選択されるＳＲＳポートが、選択されるＳＲＳリソースが基地局から端末へ送信される順番の識別番号によって、ＤＭＲＳポートの識別番号とは一定の対応関係が存在すると取り決める（プロトコルで規定する）。たとえば、基地局と端末とは、基地局によって選択されるＳＲＳリソースが、選択されるＳＲＳリソースが基地局から端末へ送信される順番の識別番号によって、ＤＭＲＳポートの識別番号とは小さい順に対応し、対応するＳＲＳリソースとＤＭＲＳポートとは空間ＱＣＬ関係を有すると取り決める（プロトコルで規定する）。ＳＲＳリソース順番情報は、前記ＳＲＩビット数特定方式によって、ＳＲＳ選択情報とは共同送信される。ここで、
【数６９】
2020530741.tif 000079
ずつのビットに対応するＳＲＳの順番は、ＳＲＳポートの順番を特定する。たとえば、計
【数７０】
2020530741.tif 000080
個のビットがあり、前から
【数７１】
2020530741.tif 000081
個のビットでＳＲＳポート１を指示し、真ん中の
【数７２】
2020530741.tif 000082
個のビットでＳＲＳポート３を指示し、末尾
【数７３】
2020530741.tif 000083
個のビットでＳＲＳポート０を指示する。すると、基地局によって選択されたＳＲＳポートがＳＲＳポート０、ＳＲＳポート１、ＳＲＳポート３であると指示し、ＳＲＳポート順番情報が｛ＳＲＳポート１、ＳＲＳポート３、ＳＲＳポート０｝である。対応するＴＲＩ＝３である。また、たとえば、端末がＳＲＳポート０、ＳＲＳポート２を検出すると、ＴＲＩ＝２になる。
【０１６０】
１つの共同符号化方式として、ＳＲＳポート順番情報とＴＲＩの共同符号化に対応する可能数は、基地局によって選択されるＳＲＳポートのすべての可能数とこれらＳＲＳポートの排列可能数の積である。すなわち、ＳＲＳポート順番情報とＴＲＩを共同にした組み合わせ数は、基地局が、設定したＳＲＳポートから、１〜アップリンクデータ伝送で許容される最大アンテナポート数またはストリーム数個のＳＲＳポートを選択する場合、すべてのありうるＳＲＳポートの識別番号の排列数である。アップリンクデータ伝送で許容される最大アンテナポート数をＰとすると、ＳＲＳポート順番情報とＴＲＩを共同にした組み合わせ数が
【数７４】
2020530741.tif 000084
であるため、共同符号化に必要なビット数は、
【数７５】
2020530741.tif 000085
である。
【０１６１】
ＳＲＳポート順番情報とＴＲＩを共同にした組み合わせ数は、基地局が、設定したＳＲＳポートから、１〜端末の最大アップリンク伝送力で許容される最大アップリンクトランスポートストリーム数個のＳＲＳポートを選択する場合、すべてのありうるＳＲＳポートの識別番号の排列数である。端末の最大アップリンク伝送力で許容される最大アップリンクトランスポートストリーム数をＬとすると、ＳＲＳポート順番情報とＳＲＩを共同にした組み合わせ数が
【数７６】
2020530741.tif 000086
であるため、共同符号化に必要なビット数は、
【数７７】
2020530741.tif 000087
である。
【０１６２】
ＳＲＳポート順番情報とＴＲＩを共同にした組み合わせ数は、基地局が、設定したＳＲＳポートから、１〜から基地局から端末に対し設定した許容可能な最大ストリーム数個のＳＲＳポートを選択する場合、すべてのありうるＳＲＳポートの識別番号の排列数である。基地局から端末に送信されるトランスポートストリーム数構成情報が最大ストリーム数指示シグナリングでありかつ最大ストリーム数がＫであると指示すると、ＳＲＳポート順番情報とＳＲＩを共同にした組み合わせ数が
【数７８】
2020530741.tif 000088
であるため、共同符号化に必要なビット数は、
【数７９】
2020530741.tif 000089
である。
【０１６３】
基地局から端末に送信されるトランスポートストリーム数構成情報が基地局で許容される送信ストリームの集合であり、当該集合がＱであると、ＳＲＳポート順番情報とＳＲＩを共同にした組み合わせ数が
【数８０】
2020530741.tif 000090
であるため、共同符号化に必要なビット数は、
【数８１】
2020530741.tif 000091
である。
【０１６４】
類似的に、共同符号化方式は、上記２種類またはそれより多い種類の共同符号化方式の組み合わせであってもよい。基地局は、どのような方式で共同符号化を行うかを指示するための方式指示シグナリングを端末に送信する。
【０１６５】
たとえば、基地局は、１ビットのシグナリングを端末に送信する。当該シグナリングは、一方の方式を採用することを示す状態と、他方の方式を採用することを示す状態との２種類の状態を含む。当該シグナリングは、静的または半静的シグナリングである。
【０１６６】
もう一つの共同符号化の負荷特定方式は、基地局と端末との間でＴＲＩとＳＲＳとＤＭＲＳポートとのＱＣＬ情報との合計負荷を取り決めることである。
【０１６７】
選択可能に、上記基地局と端末とは上記マッピング関係を取り決める（たとえば前記アップリンク伝送指示情報と参照信号ポートとのマッピング関係を端末と予め取り決め、または、前記アップリンク伝送指示情報とデータ層とのマッピング関係を端末と予め取り決める）ことや、端末から端末に上記マッピング関係を指示する方式にかかわらず、基地局は、前記マッピング関係を特定すると、前記マッピング関係に基づいてアップリンク受信方式を特定する。たとえば、前記アップリンク伝送指示情報がＳＲＳリソース指示情報を含み、前記マッピング関係がＳＲＳリソースと参照信号ポートとのマッピング関係であり、かつ前記参照信号ポートがＤＭＲＳポートであり、前記ＳＲＳリソースと参照信号ポートとのマッピング関係が空間ＱＣＬ関係であると、基地局は、前記ＤＭＲＳを受信する際に、アップリンク伝送指示情報受信で指示されるＳＲＳリソースに対応するＳＲＳ伝送とは同じ受信ビームで、当該ＤＭＲＳポートでＤＭＲＳを受信する。また、たとえば、前記アップリンク伝送指示情報がＳＲＳリソース指示情報を含み、前記マッピング関係がＳＲＳリソースとデータ層とのマッピング関係であると、基地局は、アップリンクデータを受信する際に、指示されるＳＲＳリソースに対応するＳＲＳ伝送の受信とは同じ受信ビームで、当該データ層でアップリンクデータを受信する。
【０１６８】
選択可能に、前記アップリンクデータは、ＰＵＳＣＨで伝送されるデータであり、前記マッピング関係でのデータ層は、ＰＵＳＣＨの層である。選択可能に、前記アップリンクデータは、ＰＵＣＣＨで伝送されるデータであり、前記マッピング関係でのデータ層は、ＰＵＣＣＨの層である。選択可能に、前記アップリンクデータは、ＰＵＳＣＨのＤＭＲＳである。選択可能に、前記アップリンクデータは、ＰＵＣＣＨのＤＭＲＳである。もちろん、前記アップリンクデータは、以上挙げられたデータの組み合わせであってもよく、ほかの一部のアップリンクデータであってもよいが、いずれも本開示の保護範囲内にあると理解できる。たとえば、前記アップリンクデータは、ＰＵＳＣＨで伝送されるデータとＰＵＳＣＨのＤＭＲＳで伝送されるデータであり、それに限られない。
【０１６９】
選択可能に、前記の前記ＳＲＳリソース構成情報および前記トランスポートストリーム数構成情報に基づいて、前記アップリンク伝送指示情報に対応する負荷を特定することは、前記ＳＲＳリソース構成情報および前記トランスポートストリーム数構成情報に基づいて、前記アップリンク伝送指示情報に対応する負荷を特定するには、少なくとも２種類の特定方法を含む場合、負荷特定方法指示情報を、前記基地局から前記端末に送信するステップをさらに含む。前記負荷特定方法指示情報は、前記の前記ＳＲＳリソース構成情報および前記トランスポートストリーム数構成情報に基づいて、前記アップリンク伝送指示情報に対応する負荷を特定するステップの特定方法を指示する指示情報である。
【０１７０】
共同符号化方式は、上記２種類またはそれより多い種類の共同符号化方式の組み合わせであってもよい。基地局は、どのような方式で共同符号化を行うかを指示するための方式指示シグナリングを端末に送信する。
【０１７１】
たとえば、基地局は、１ビットのシグナリングを端末に送信する。当該シグナリングは、一方の方式を採用することを示す状態と、他方の方式を採用することを示す状態との２種類の状態を含む。当該シグナリングは、静的または半静的シグナリングである。
【０１７２】
以上の記載をまとめると、本開示の一部実施例において、ＳＲＳリソース構成情報とトランスポートストリーム数構成情報を送信することによって、アップリンク伝送指示情報に対応する負荷を特定し、ＮＲシステムにおけるアップリンク伝送のオーバヘッドまたは負荷を減少することができる。
【０１７３】
図２を参照する。図２は、本開示の一部実施例におけるデータ伝送方法のフローチャートである。図２に示すように、データ伝送方法は、端末に応用され、基地局から送信されるＳＲＳリソース構成情報とトランスポートストリーム数構成情報を受信するステップ２０１と、構成されたＳＲＳリソースでＳＲＳ信号を送信するステップ２０２と、前記基地局から送信されるアップリンク伝送指示情報を受信するステップ２０３と、前記アップリンク伝送指示情報に基づいて、アップリンクデータ伝送用のプリコーディング行列を取得するステップ２０４とを含む。
【０１７４】
ここで、ステップ２０１とステップ２０２の実行順が限定されず、ステップ２０２より前にステップ２０１を実行してもよく、ステップ２０２の後にステップ２０１を実行してもよく、ステップ２０１とステップ２０２を同時に実行してもよい。
【０１７５】
選択可能に、前記方法は、さらに、前記ＳＲＳリソース構成情報および前記トランスポートストリーム数構成情報に基づいて、前記基地局から送信されるアップリンク伝送指示情報に対応する負荷を特定することを含む。ここで、前記の前記アップリンク伝送指示情報に基づいて、アップリンクデータ伝送用のプリコーディング行列を取得することは、前記負荷に基づいて前記アップリンク伝送指示情報を復号し、復号結果に基づいて前記アップリンクデータ伝送用のプリコーディング行列を取得することをさらに含む。このステップは、ステップ２０２の後であってステップ２０３の前に実行してもよく、ステップ２０３の後であってステップ２０４の前に実行してもよいが、本実施例において限定しない。
【０１７６】
選択可能に、前記の前記ＳＲＳリソース構成情報および前記トランスポートストリーム数構成情報に基づいて、前記基地局から送信されるアップリンク伝送指示情報に対応する負荷を特定するステップは、以下の（ｉ）〜（ｖ）のうちの１つを含む。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【０１７７】
選択可能に、前記ステップ２０４は、さらに、前記負荷に基づいて前記アップリンク伝送指示情報を復号し、復号結果に基づいて前記アップリンクデータ伝送用のプリコーディング行列を取得することを含む。
【０１７８】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【０１７９】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【０１８０】
選択可能に、前記方法において、前記アップリンク伝送指示情報と参照信号ポートのマッピング関係、または、前記アップリンク伝送指示情報とデータ層のマッピング関係を前記基地局と取り決めるステップ、または、前記アップリンク伝送指示情報と参照信号ポートのマッピング関係、または、前記アップリンク伝送指示情報とデータ層のマッピング関係を前記基地局から受信するステップをさらに含む。
【０１８１】
選択可能に、前記アップリンク伝送指示情報は、ＳＲＳリソース指示情報である。
【０１８２】
選択可能に、前記参照信号ポートは、ＰＵＳＣＨのＤＭＲＳポートである。選択可能に、前記参照信号ポートは、ＰＵＣＣＨのＤＭＲＳポートである。選択可能に、アップリンク伝送指示情報領域の参照信号ポートのマッピング関係は、空間ＱＣＬ関係である。
【０１８３】
選択可能に、前記の前記アップリンク伝送指示情報に基づいて、アップリンクデータ伝送用のプリコーディング行列を取得することは、前記ＳＲＳリソースと参照信号ポートのマッピング関係情報、または、ＳＲＳポートと参照信号ポートのマッピング関係情報に基づいて、各参照信号ポートに対応するプリコーディングベクトル／行列を特定することと、各参照信号ポートに対応するプリコーディングベクトル／行列に基づいて、アップリンクデータ伝送用のプリコーディング行列を取得することとを含む。
【０１８４】
前記アップリンク伝送指示情報にＳＲＳリソース指示情報を含み、前記マッピング関係として、指示されるＳＲＳリソースと参照信号ポートのマッピング関係でありかつ空間ＱＣＬ関係であると、前記ＳＲＳリソースと参照信号ポートのマッピング関係情報に基づいて、各参照信号ポートに対応するプリコーディングベクトル／行列を特定する方式の１つとして、各参照信号ポートに対応する参照信号に対し、プリコーディングベクトル／行列がＳＲＳリソースに指示されるＳＲＳリソースに対応するＳＲＳを送信する送信ビームである。各参照信号ポートに対応するプリコーディングベクトル／行列に基づいて、アップリンクデータ伝送用のプリコーディング行列を取得する方式の１つとして、アップリンクデータのうち、任意の参照信号ポートに対応するデータストリームに対し、プリコーディングベクトル／行列が当該ＤＭＲＳポートとは同じであるプリコーディングベクトル／行列である。
【０１８５】
前記アップリンク伝送指示情報にＳＲＳリソース指示情報および／またはＳＲＳポート指示情報を含み、前記マッピング関係として、指示されるＳＲＳポートと参照信号ポートのマッピング関係でありかつ空間ＱＣＬ関係であると、前記ＳＲＳポートと参照信号ポートのマッピング関係情報に基づいて、各参照信号ポートに対応するプリコーディングベクトル／行列を特定する方式の１つとして、各参照信号ポートに対応する参照信号に対し、プリコーディングベクトル／行列がアップリンク伝送指示情報に指示されるＳＲＳポートの送信に対応する送信ビームである。各参照信号ポートに対応するプリコーディングベクトル／行列に基づいて、アップリンクデータ伝送用のプリコーディング行列を取得する方式の１つとして、アップリンクデータのうち、任意の参照信号ポートに対応するデータストリームに対し、プリコーディングベクトル／行列が当該ＤＭＲＳポートとは同じであるプリコーディングベクトル／行列である。
【０１８６】
選択可能に、前記の前記アップリンク伝送指示情報に基づいて、アップリンクデータ伝送用のプリコーディング行列を取得することは、前記ＳＲＳリソースとデータ層のマッピング関係情報、または、ＳＲＳポートとデータ層のマッピング関係情報に基づいて、各データ層に対応するプリコーディングベクトル／行列を特定することと、各データ層に対応するプリコーディングベクトル／行列に基づいて、アップリンクデータ伝送用のプリコーディング行列を取得することとを含む。
【０１８７】
前記アップリンク伝送指示情報にＳＲＳリソース指示情報を含み、前記マッピング関係として、指示されるＳＲＳリソースとデータ層のマッピング関係でありかつ空間ＱＣＬ関係であると、前記ＳＲＳリソースとデータ層のマッピング関係情報に基づいて、各データ層に対応するプリコーディングベクトル／行列を特定する方式の１つとして、各データ層に対し、プリコーディングベクトル／行列が、それに対応するＳＲＳリソースに対応するＳＲＳを送信する送信ビームである。各データ層に対応するプリコーディングベクトル／行列に基づいて、アップリンクデータ伝送用のプリコーディング行列を取得することは、具体的に、各データ層のプリコーディングベクトル／行列に基づいて、端末が、アップリンクデータ伝送用のすべての層の合計のプリコーディングを取得する。
【０１８８】
前記アップリンク伝送指示情報にＳＲＳリソース指示情報および／またはＳＲＳポート指示情報を含み、前記マッピング関係として、指示されるＳＲＳポートとデータ層のマッピング関係でありかつ空間ＱＣＬ関係であると、前記ＳＲＳポートとデータ層のマッピング関係情報に基づいて、各データ層に対応するプリコーディングベクトル／行列を特定する方式の１つとして、各データ層に対し、プリコーディングベクトル／行列が、それに対応するＳＲＳポートを送信する際の送信ビームである。各データ層に対応するプリコーディングベクトル／行列に基づいて、アップリンクデータ伝送用のプリコーディング行列を取得することは、具体的に、各データ層のプリコーディングベクトル／行列に基づいて、端末が、アップリンクデータ伝送用のすべての層の合計のプリコーディングを取得する。
【０１８９】
選択可能に、前記アップリンクデータは、ＰＵＳＣＨで伝送されるデータであり、前記データ層は、ＰＵＳＣＨの層である。選択可能に、前記アップリンクデータは、ＰＵＳＣＨのＤＭＲＳであり、前記データ層は、ＤＭＲＳのアンテナポートに対応するデータである。選択可能に、前記アップリンクデータは、ＰＵＣＣＨで伝送されるデータであり、前記データ層は、ＰＵＣＣＨの層である。選択可能に、前記アップリンクデータは、ＰＵＣＣＨのＤＭＲＳであり、前記データ層は、ＤＭＲＳポートに対応するデータである。もちろん、前記アップリンクデータは、以上挙げられたデータの組み合わせであってもよく、ほかの一部のアップリンクデータであってもよいが、いずれも本開示の保護範囲内にあると理解できる。たとえば、前記アップリンクデータは、ＰＵＳＣＨで伝送されるデータとＰＵＳＣＨのＤＭＲＳで伝送されるデータであり、それに限られない。
【０１９０】
本開示の一部実施例は、図１に示す発明実施例と関連付けて実施可能であり、しかも同じ効果を奏するが、重複を避けるためにここでは繰り返して記載しない。
【０１９１】
図３を参照する。図３は、本開示の一部実施例における基地局の構造図である。図３に示すように、基地局３００は、第１送信モジュール３０１と、第１特定モジュール３０２と、第２特定モジュール３０３と、第２送信モジュール３０４とを含む。
【０１９２】
ここで、第１送信モジュール３０１は、ＳＲＳリソース構成情報とトランスポートストリーム数構成情報を送信することに用いられる。前記トランスポートストリーム数構成情報は、前記端末の伝送可能な最大トランスポートストリーム数または前記端末の伝送可能なストリーム数の集合を含む。第１特定モジュール３０２は、アップリンク伝送指示情報を特定することに用いられる。第２特定モジュール３０３は、前記ＳＲＳリソース構成情報および前記トランスポートストリーム数構成情報に基づいて、前記アップリンク伝送指示情報に対応する負荷を特定することに用いられる。第２送信モジュール３０４は、前記アップリンク伝送指示情報を前記負荷によって前記端末に送信することに用いられる。
【０１９３】
選択可能に、第２特定モジュール３０３は、具体的に、以下の（ｉ）〜（ｖ）のうちの１つを実行することに用いられる。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【０１９４】
選択可能に、第２特定モジュール３０３は、具体的に、ＳＲＳ信号を測定し、測定結果に基づいてＴＲＩおよび／またはＳＲＳリソースおよび／またはＳＲＳポートを選択することと、前記基地局によって選択されたＴＲＩ数、ＳＲＳポート数、ＳＲＳリソース数のうちの少なくとも１つと前記ＳＲＳリソース構成情報に基づいて、前記アップリンク伝送指示情報に対応する負荷を特定することに用いられる。
【０１９５】
選択可能に、第２特定モジュール３０３は、具体的に、前記ＳＲＳリソース構成情報および前記トランスポートストリーム数構成情報に基づいて、前記アップリンク伝送指示情報に対応する負荷を特定するには、少なくとも２種類の特定方法を含む場合、負荷特定方法指示情報を、前記端末に送信することに用いられる。前記負荷特定方法指示情報は、前記の前記ＳＲＳリソース構成情報および前記トランスポートストリーム数構成情報に基づいて、前記アップリンク伝送指示情報に対応する負荷を特定するステップの特定方法を指示する指示情報である。
【０１９６】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【０１９７】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【０１９８】
選択可能に、前記基地局は、前記アップリンク伝送指示情報と参照信号ポートのマッピング関係を端末と取り決め、または、前記アップリンク伝送指示情報とデータ層のマッピング関係を端末と取り決めるように構成される取り決めモジュールをさらに含む。
【０１９９】
選択可能に、第１特定モジュール３０２は、具体的に、前記端末から前記ＳＲＳリソースで送信されるＳＲＳ信号を受信することと、前記ＳＲＳ信号に基づいて前記アップリンク伝送指示情報を特定することに用いられる。
【０２００】
なお、本実施例における上記基地局３００は、本開示の一部実施例の方法実施例における任意の実施形態の基地局であってもよく、本開示の一部実施例の方法実施例における基地局の任意の実施形態を本実施例における上記基地局３００によって実現可能であり、しかも同じ効果を奏するため、ここでは繰り返して記載しない。
【０２０１】
図４を参照する。図４は、本開示の一部実施例における端末の構造図である。図４に示すように、端末４００は、第１受信モジュール４０１と、送信モジュール４０２と、第２受信モジュール４０３と、取得モジュール４０４とを含む。
【０２０２】
ここで、第１受信モジュール４０１は、基地局から送信されるＳＲＳリソース構成情報とトランスポートストリーム数構成情報を受信することに用いられる。送信モジュール４０２は、構成されたＳＲＳリソースでＳＲＳ信号を送信することに用いられる。第２受信モジュール４０３は、前記基地局から送信されるアップリンク伝送指示情報を受信することに用いられる。取得モジュール４０４は、前記アップリンク伝送指示情報に基づいて、アップリンクデータ伝送用のプリコーディング行列を取得することに用いられる。
【０２０３】
選択可能に、前記端末は、特定モジュールをさらに含む。前記特定モジュールは、前記ＳＲＳリソース構成情報および前記トランスポートストリーム数構成情報に基づいて、前記基地局から送信されるアップリンク伝送指示情報に対応する負荷を特定することに用いられる。ここで、前記取得モジュールは、さらに、前記負荷に基づいて前記アップリンク伝送指示情報を復号し、復号結果に基づいて前記アップリンクデータ伝送用のプリコーディング行列を取得するように構成される。
【０２０４】
選択可能に、前記特定モジュールは、具体的に、以下の（ｉ）〜（ｖ）のうちの１つを実行することに用いられる。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【０２０５】
前記取得モジュール４０４は、さらに、前記負荷に基づいて前記アップリンク伝送指示情報を復号し、復号結果に基づいて前記アップリンクデータ伝送用のプリコーディング行列を取得するように構成される。
【０２０６】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【０２０７】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【０２０８】
選択可能に、取得モジュール４０４は、具体的に、前記ＳＲＳリソースと参照信号ポートのマッピング関係情報、または、ＳＲＳポートと参照信号ポートのマッピング関係情報に基づいて、各参照信号ポートに対応するプリコーディングベクトル／行列を特定することと、各参照信号ポートに対応するプリコーディングベクトル／行列に基づいて、アップリンクデータ伝送用のプリコーディング行列を取得することに用いられる。
【０２０９】
選択可能に、取得モジュール４０４は、具体的に、前記ＳＲＳリソースとデータ層のマッピング関係情報、または、ＳＲＳポートとデータ層のマッピング関係情報に基づいて、各データ層に対応するプリコーディングベクトル／行列を特定することと、各データ層に対応するプリコーディングベクトル／行列に基づいて、アップリンクデータ伝送用のプリコーディング行列を取得することに用いられる。
【０２１０】
選択可能に、前記端末は、前記アップリンク伝送指示情報と参照信号ポートのマッピング関係を前記基地局と取り決め、または、前記アップリンク伝送指示情報とデータ層のマッピング関係を前記基地局と取り決めるための取り決めモジュールをさらに含む。
【０２１１】
選択可能に、図５に示すように、端末４００は、アップリンク伝送指示情報を受信するための第３受信モジュール４０５をさらに含む。
【０２１２】
なお、本実施例における上記端末４００は、本開示の一部実施例の方法実施例における任意の実施形態の端末であってもよく、本開示の一部実施例の方法実施例における端末の任意の実施形態を本実施例における上記端末４００によって実現可能であり、しかも同じ効果を奏するため、ここでは繰り返して記載しない。
【０２１３】
図６を参照する。図６は、本開示の一部実施例における基地局の構造図である。図６に示すように、当該基地局は、プロセッサ６００と、トランシーバ６１０と、メモリ６２０と、ユーザインタフェース６３０と、バスインタフェースを含む。プロセッサ６００は、メモリ６２０からプログラムを読み取ることによって、ＳＲＳリソース構成情報と、前記端末の伝送可能な最大トランスポートストリーム数または前記端末の伝送可能なストリーム数の集合を含むトランスポートストリーム数構成情報をトランシーバ６１０によって送信するプロセスと、アップリンク伝送指示情報を特定するプロセスと、前記ＳＲＳリソース構成情報および前記トランスポートストリーム数構成情報に基づいて、前記アップリンク伝送指示情報に対応する負荷を特定するプロセスと、トランシーバ６１０によって、前記アップリンク伝送指示情報を前記負荷によって前記端末に送信するプロセスとを実行することに用いられる。トランシーバ６１０は、プロセッサ６００の制御によってデータを送受信することに用いられる。
【０２１４】
図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットとして提供される。ユーザ端末によっては、ユーザインタフェース６３０は、内部接続や外部接続する機器のインタフェースであってもよい。接続する機器は、キーパッド、ディスプレイ、スピーカ、マイクロフォン、ジョイスティックなどを含むが、それらに限られない。
【０２１５】
プロセッサ６００は、バスアーキテクチャと通常の処理を管理する。メモリ６２０は、プロセッサ６００による操作実行に使用されるデータを記憶できる。
【０２１６】
選択可能に、プロセッサ６００は、さらに、以下の（ｉ）〜（ｖ）のうちの１つを実行することに用いられる。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【０２１７】
選択可能に、プロセッサ６００は、さらに、前記基地局がＳＲＳ信号を測定し、測定結果に基づいてＴＲＩおよび／またはＳＲＳリソースおよび／またはＳＲＳポートを選択することと、前記基地局によって選択されたＴＲＩ数、ＳＲＳポート数、ＳＲＳリソース数のうちの少なくとも１つと前記ＳＲＳリソース構成情報に基づいて、前記アップリンク伝送指示情報に対応する負荷を特定することに用いられる。
【０２１８】
選択可能に、プロセッサ６００は、さらに、前記ＳＲＳリソース構成情報および前記トランスポートストリーム数構成情報に基づいて、前記アップリンク伝送指示情報に対応する負荷を特定するには、少なくとも２種類の特定方法を含む場合、負荷特定方法指示情報を、前記基地局から前記端末に送信することに用いられる。前記負荷特定方法指示情報は、前記の前記ＳＲＳリソース構成情報および前記トランスポートストリーム数構成情報に基づいて、前記アップリンク伝送指示情報に対応する負荷を特定するステップの特定方法を指示する指示情報である。
【０２１９】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【０２２０】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【０２２１】
選択可能に、プロセッサ６００は、さらに、前記アップリンク伝送指示情報と参照信号ポートのマッピング関係を端末と取り決めること、または、前記アップリンク伝送指示情報とデータ層のマッピング関係を端末と取り決めることに用いられる。
【０２２２】
選択可能に、前記のアップリンク伝送指示情報を特定することは、前記端末から前記ＳＲＳリソースで送信されるＳＲＳ信号を受信することと、前記ＳＲＳ信号に基づいて前記アップリンク伝送指示情報を特定することとを含む。
【０２２３】
なお、本実施例における上記基地局は、本開示の一部実施例の方法実施例における任意の実施形態の基地局であってもよく、本開示の一部実施例の方法実施例における基地局の任意の実施形態を本実施例における上記基地局によって実現可能であり、しかも同じ効果を奏するため、ここでは繰り返して記載しない。
【０２２４】
図７を参照する。図７は、本開示の一部実施例における端末の構造図である。図７に示すように、当該端末は、プロセッサ７００と、トランシーバ７１０と、メモリ７２０と、ユーザインタフェース７３０と、バスインタフェースを含む。
【０２２５】
プロセッサ７００は、メモリ７２０からプログラムを読み取ることによって、基地局から送信されるＳＲＳリソース構成情報とトランスポートストリーム数構成情報をトランシーバ７１０によって受信するプロセスと、構成されたＳＲＳリソースでＳＲＳ信号をトランシーバ７１０によって送信するプロセスと、前記ＳＲＳリソース構成情報および前記トランスポートストリーム数構成情報に基づいて、前記基地局から送信されるアップリンク伝送指示情報に対応する負荷を特定するプロセスと、前記基地局から送信されるアップリンク伝送指示情報をトランシーバ７１０によって受信するプロセスと、前記アップリンク伝送指示情報に基づいて、アップリンクデータ伝送用のプリコーディング行列を取得するプロセスとを実行することに用いられる。
【０２２６】
トランシーバ７１０は、プロセッサ７００の制御によってデータを送受信することに用いられる。
【０２２７】
図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。ユーザ端末によっては、ユーザインタフェース７３０は、内部接続や外部接続する機器のインタフェースであってもよい。接続する機器は、キーパッド、ディスプレイ、スピーカ、マイクロフォン、ジョイスティックなどを含むが、それらに限られない。
【０２２８】
プロセッサ７００は、バスアーキテクチャと通常の処理を管理する。メモリ７２０は、プロセッサ７００による操作実行に使用されるデータを記憶できる。
【０２２９】
選択可能に、前記の前記ＳＲＳリソース構成情報および前記トランスポートストリーム数構成情報に基づいて、前記基地局から送信されるアップリンク伝送指示情報に対応する負荷を特定するステップは、以下の（ｉ）〜（ｖ）のうちの１つを含む。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【０２３０】
選択可能に、前記の前記アップリンク伝送指示情報に基づいて、アップリンクデータ伝送用のプリコーディング行列を取得することは、前記負荷に基づいて前記アップリンク伝送指示情報を復号し、復号結果に基づいて前記アップリンクデータ伝送用のプリコーディング行列を取得することを含む。
【０２３１】
選択可能に、前記アップリンク伝送指示情報は、ＳＲＩ、ＴＲＩ、ＳＲＳリソースのうちのＳＲＳポートの指示情報のうちの少なくとも１つを含む目標指示情報と、ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む。
【０２３２】
選択可能に、前記ＳＲＳリソースと前記参照信号ポートのマッピング関係は、前記参照信号ポートと前記ＳＲＳリソースとは、同じプリコーディング行列で伝送されることを含み、および／または、前記ＳＲＳリソースと前記データ層のマッピング関係は、前記データ層と前記ＳＲＳリソースとは、同じプリコーディング行列で伝送されることを含み、および／または、前記ＳＲＳポートと前記参照信号ポートのマッピング関係は、前記参照信号と前記ＳＲＳポートとは、同じプリコーディング行列で伝送されることを含み、および／または、前記ＳＲＳポートと前記データ層のマッピング関係は、前記データ層と前記ＳＲＳポートとは、同じプリコーディング行列で伝送されることを含む。
【０２３３】
選択可能に、プロセッサ７００は、さらに、前記ＳＲＳリソースと参照信号ポートのマッピング関係情報、または、ＳＲＳポートと参照信号ポートのマッピング関係情報に基づいて、各参照信号ポートに対応するプリコーディングベクトル／行列を特定することと、各参照信号ポートに対応するプリコーディングベクトル／行列に基づいて、アップリンクデータ伝送用のプリコーディング行列を取得することに用いられる。
【０２３４】
選択可能に、プロセッサ７００は、さらに、前記ＳＲＳリソースとデータ層のマッピング関係情報、または、ＳＲＳポートとデータ層のマッピング関係情報に基づいて、各データ層に対応するプリコーディングベクトル／行列を特定することと、各データ層に対応するプリコーディングベクトル／行列に基づいて、アップリンクデータ伝送用のプリコーディング行列を取得することに用いられる。
【０２３５】
選択可能に、プロセッサ７００は、さらに、前記アップリンク伝送指示情報と参照信号ポートのマッピング関係、または、前記アップリンク伝送指示情報とデータ層のマッピング関係を前記基地局と取り決めること、または、前記アップリンク伝送指示情報と参照信号ポートのマッピング関係、または、前記アップリンク伝送指示情報とデータ層のマッピング関係を前記基地局から受信することに用いられる。
【０２３６】
選択可能に、プロセッサ７００は、さらに、アップリンク伝送指示情報を受信することに用いられる。
【０２３７】
なお、本開示の実施例は、５Ｇシステムに応用可能であり、たとえばＬＴＥ（Ｌｏｎｇ  Ｔｅｒｍ  Ｅｖｏｌｕｔｉｏｎ）システム、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ（Ｃｏｄｅ  Ｄｉｖｉｓｉｏｎ  Ｍｕｌｔｉｐｌｅ  Ａｃｃｅｓｓ，ＣＤＭＡ）システム、ほかのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に基づくシステム、および新規の無線通信システム、６Ｇシステムなど、ほかの無線通信システムやその改良バージョンにも適用可能である。
【０２３８】
なお、本実施例における上記端末は、本開示の一部実施例の方法実施例における任意の実施形態の端末であってもよく、本開示の一部実施例の方法実施例における端末の任意の実施形態を本実施例における上記端末によって実現可能であり、しかも同じ効果を奏するため、ここでは繰り返して記載しない。
【０２３９】
本開示の一部実施例において、言及されている機器は、送信機器（すなわち基地局）と受信機器（すなわち端末）を含む。送信機器と、当該送信機器にアクセスする受信機器との間は、ダウンリンク伝送とアップリンク伝送が可能である。
【０２４０】
ここで、基地局は、従来の機器における基地局またはほかの種類の伝送ポイント機器であり、端末は、ユーザ機器である。もちろん、上記の２種類の機器に限られない。たとえば、基地局は、ほかの端末に対し設定操作を行うことのできる端末であってもよい。１つの基地局に複数のネットワークノードを含むと見なしてもよい。ネットワークノードは、ＲＦ（たとえばＲＲＵ（Ｒｅｍｏｔｅ  Ｒａｄｉｏ  Ｕｎｉｔ））のみを含むか、ベースバンドとＲＦの両部分（たとえばアクティブアンテナ（Ａｃｔｉｖｅ  ａｎｔｅｎｎａ））を含む。ネットワークノードは、ベースバンド（たとえばＢＢＵ（Ｂａｓｅｂａｎｄ  Ｕｎｉｔ））のみを含んでもよく、エアインタフェース層のデジタル／ＲＦ機能を一切有さず、ハイレイヤ信号処理のみを司り、エアインタフェース層のベースバンド処理をすべてアクティブアンテナで行うようにしてもよい。それ以外、ネットワークの実現方式は、多種類ある。
【０２４１】
端末は、ユーザ機器ＵＥ（Ｕｓｅｒ  Ｅｑｕｉｐｍｅｎｔ）と称されてもよく、またはターミナル（Ｔｅｒｍｉｎａｌ）、ＭＳ（Ｍｏｂｉｌｅ  Ｓｔａｔｉｏｎ）、移動端末（Ｍｏｂｉｌｅ  Ｔｅｒｍｉｎａｌ）などと称されてもよい。当該端末は、ＲＡＮ（Ｒａｄｉｏ  Ａｃｃｅｓｓ  Ｎｅｔｗｏｒｋ）を介して１つまたは複数のコアネットワークと通信可能である。たとえば、端末は、移動電話（または「セルラー」電話と称される）、移動端末を有するコンピュータなどである。たとえば、端末は、携帯式、ポータブル式、ハンドヘルド式、コンピュータ内蔵式または車載の移動装置であり、無線アクセスネットワークとは音声および／またはデータのやり取りを行う。本開示の一部実施例における端末は、Ｄ２Ｄ（Ｄｅｖｉｃｅ  ｔｏ  Ｄｅｖｉｃｅ）端末やＭ２Ｍ（Ｍａｃｈｉｎｅ  ｔｏ  Ｍａｃｈｉｎｅ）端末であってもよい。本開示の実施例において、ネットワークと端末について具体的に限定しない。
【０２４２】
本開示の一部実施例において、言及されているプリコーディング行列／ベクトルは、１つのプリコーディング行列／ベクトルであってもよく、複数のプリコーディングベクトルであってもよい。プリコーディング行列／ベクトルは、「プリコーディング」、「ビーム」と称されてもよく、または、「ビームフォーミング」と称され、アナログプリコーディングおよび／またはデジタルプリコーディングを含む。なお、本開示の実施例において、プリコーディング行列／ベクトルについて、具体的にいくつかのプリコーディングを含むかを限定せず、プリコーディング行列／ベクトルの命名方式も限定しない。
【０２４３】
本開示の一部実施例は、コンピュータプログラムが記憶されているコンピュータ読み取り可能な記憶媒体をさらに提供する。前記コンピュータプログラムがプロセッサによって実行されると、本開示の一部実施例における基地局に応用される前記データ伝送方法のステップが実現され、または、前記コンピュータプログラムがプロセッサによって実行されると、本開示の一部実施例における端末に応用される前記データ伝送方法のステップが実現される。
【０２４４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０２４５】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０２４６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２４７】
本開示において、「ａ」は、ａに対するラウンドアップ関数を示し、すなわちａより大きい最小整数を取る。「ａ」は、ａに対するラウンドダウン関数を示し、すなわちａより小さい最大整数を取る。
【０２４８】
以上記載されたのは、本開示の一部の実施形態である。なお、当業者は、本開示に記載されている原理を逸脱せずに様々な改良や修飾をすることもできる。これらの改良や修飾も、本開示の保護範囲として見なされるべきである。
【図１】
2020530741.tif 000092
【図２】
2020530741.tif 000093
【図３】
2020530741.tif 000094
【図４】
2020530741.tif 000095
【図５】
2020530741.tif 000096
【図６】
2020530741.tif 000097
【図７】
2020530741.tif 000098
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
基地局に応用されるデータ伝送方法において、
ＳＲＳ（Ｓｏｕｎｄｉｎｇ  Ｒｅｆｅｒｅｎｃｅ  Ｓｉｇｎａｌ）リソース構成情報と、端末の伝送可能な最大トランスポートストリーム数または前記端末の伝送可能なストリーム数の集合を含むトランスポートストリーム数構成情報を送信するステップと、
アップリンク伝送指示情報を特定するステップと、
前記ＳＲＳリソース構成情報および前記トランスポートストリーム数構成情報に基づいて、前記アップリンク伝送指示情報に対応する負荷を特定するステップと、
前記アップリンク伝送指示情報を前記負荷によって前記端末に送信するステップとを含む、データ伝送方法。
【請求項２】
前記の前記ＳＲＳリソース構成情報および前記トランスポートストリーム数構成情報に基づいて、前記アップリンク伝送指示情報に対応する負荷を特定するステップは、
以下の（ｉ）〜（ｖ）のうちの１つを含む、請求項１に記載の方法。
（ｉ）前記端末の位置するネットワークで許容されるアップリンク伝送の最大アンテナポート数と最大トランスポートストリーム数のうちの１つおよび前記ＳＲＳリソース構成情報に基づいて、前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記アップリンク伝送指示情報に対応する負荷を特定する。
【請求項３】
前記の前記ＳＲＳリソース構成情報および前記トランスポートストリーム数構成情報に基づいて、前記アップリンク伝送指示情報に対応する負荷を特定するステップは、
前記基地局がＳＲＳ信号を測定し、測定結果に基づいてＴＲＩ（Ｔｒａｎｓｍｉｔ  Ｒａｎｋ  Ｉｎｄｉｃａｔｏｒ）、ＳＲＳリソース、ＳＲＳポートのうちの少なくとも１つを選択するステップと、
前記基地局によって選択されたＴＲＩ数、ＳＲＳポート数、ＳＲＳリソース数のうちの少なくとも１つと前記ＳＲＳリソース構成情報に基づいて、前記アップリンク伝送指示情報に対応する負荷を特定するステップとを含む、請求項１に記載の方法。
【請求項４】
前記の前記ＳＲＳリソース構成情報および前記トランスポートストリーム数構成情報に基づいて、前記アップリンク伝送指示情報に対応する負荷を特定するステップは、
前記の前記ＳＲＳリソース構成情報および前記トランスポートストリーム数構成情報に基づいて、前記アップリンク伝送指示情報に対応する負荷を特定するステップの特定方法を指示する指示情報である負荷特定方法指示情報を、前記基地局から前記端末に送信するステップをさらに含む、請求項２または３に記載の方法。
【請求項５】
前記アップリンク伝送指示情報は、
ＳＲＩ（ＳＲＳ  Ｒｅｓｏｕｒｃｅ  Ｉｎｄｉｃａｔｏｒ）、ＴＲＩ、ＳＲＳリソースのうちのＳＲＳポートの指示情報のうちの少なくとも１つを含む目標指示情報と、
ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む、請求項１〜３のいずれか一項に記載の方法。
【請求項６】
前記ＳＲＳリソースと前記参照信号ポートのマッピング関係は、
前記参照信号ポートと前記ＳＲＳリソースとは、同じプリコーディング行列で伝送されることを含み、
および／または、
前記ＳＲＳリソースと前記データ層のマッピング関係は、
前記データ層と前記ＳＲＳリソースとは、同じプリコーディング行列で伝送されることを含み、
および／または、
前記ＳＲＳポートと前記参照信号ポートのマッピング関係は、
前記参照信号と前記ＳＲＳポートとは、同じプリコーディング行列で伝送されることを含み、
および／または、
前記ＳＲＳポートと前記データ層のマッピング関係は、
前記データ層と前記ＳＲＳポートとは、同じプリコーディング行列で伝送されることを含む、請求項５に記載の方法。        
【請求項７】
端末に応用されるデータ伝送方法において、
基地局から送信されるＳＲＳリソース構成情報とトランスポートストリーム数構成情報を受信するステップと、
構成されたＳＲＳリソースでＳＲＳ信号を送信するステップと、
前記ＳＲＳリソース構成情報および前記トランスポートストリーム数構成情報に基づいて、前記基地局から送信されるアップリンク伝送指示情報に対応する負荷を特定するステップと、
前記基地局から送信されるアップリンク伝送指示情報を受信するステップと、
前記アップリンク伝送指示情報に基づいて、アップリンクデータ伝送用のプリコーディング行列を取得するステップとを含む、データ伝送方法。
【請求項８】
前記の前記ＳＲＳリソース構成情報および前記トランスポートストリーム数構成情報に基づいて、前記基地局から送信されるアップリンク伝送指示情報に対応する負荷を特定するステップは、
以下の（ｉ）〜（ｖ）のうちの１つを含む、請求項７に記載の方法。
（ｉ）前記端末の位置するネットワークで許容されるアップリンク伝送の最大アンテナポート数と最大トランスポートストリーム数のうちの１つおよび前記ＳＲＳリソース構成情報に基づいて、前記基地局から送信される前記アップリンク伝送指示情報に対応する負荷を特定する；
（ｉｉ）前記端末の最大アップリンク伝送力で許容される最大トランスポートストリーム数と前記ＳＲＳリソース構成情報に基づいて、前記基地局から送信される前記アップリンク伝送指示情報に対応する負荷を特定する；
（ｉｉｉ）前記トランスポートストリーム数構成情報のうちの最大ストリーム数と前記ＳＲＳリソース構成情報に基づいて、前記基地局から送信される前記アップリンク伝送指示情報に対応する負荷を特定する；
（ｉｖ）前記トランスポートストリーム数構成情報で指示されるストリーム数集合の中の元素と前記ＳＲＳリソース構成情報に基づいて、前記基地局から送信される前記アップリンク伝送指示情報に対応する負荷を特定する；
（ｖ）前記トランスポートストリーム数構成情報で指示されるストリーム数集合の中の元素の数と前記ＳＲＳリソース構成情報に基づいて、前記基地局から送信される前記アップリンク伝送指示情報に対応する負荷を特定する。
【請求項９】
前記の前記アップリンク伝送指示情報に基づいて、アップリンクデータ伝送用のプリコーディング行列を取得するステップは、
前記負荷に基づいて前記アップリンク伝送指示情報を復号し、復号結果に基づいて前記アップリンクデータ伝送用のプリコーディング行列を取得するステップを含む、請求項７または８に記載の方法。
【請求項１０】
前記アップリンク伝送指示情報は、
ＳＲＩ、ＴＲＩ、ＳＲＳリソースのうちのＳＲＳポートの指示情報のうちの少なくとも１つを含む目標指示情報と、
ＳＲＳリソースの順番情報、ＳＲＳリソースのうちのＳＲＳポートの順番情報、ＳＲＳリソースと参照信号ポートのマッピング関係情報、ＳＲＳリソースとデータ層のマッピング関係情報、ＳＲＳリソースのうちのＳＲＳポートと参照信号ポートのマッピング関係情報、ＳＲＳリソースのうちのＳＲＳポートとデータ層のマッピング関係情報のうちの少なくとも１つを含むマッピング関係情報のうちの少なくとも１つを含む、請求項７に記載の方法。
【請求項１１】
前記ＳＲＳリソースと前記参照信号ポートのマッピング関係は、
前記参照信号ポートと前記ＳＲＳリソースとは、同じプリコーディング行列で伝送されることを含み、
および／または、
前記ＳＲＳリソースと前記データ層のマッピング関係は、
前記データ層と前記ＳＲＳリソースとは、同じプリコーディング行列で伝送されることを含み、
および／または、
前記ＳＲＳポートと前記参照信号ポートのマッピング関係は、
前記参照信号と前記ＳＲＳポートとは、同じプリコーディング行列で伝送されることを含み、
および／または、
前記ＳＲＳポートと前記データ層のマッピング関係は、
前記データ層と前記ＳＲＳポートとは、同じプリコーディング行列で伝送されることを含む、請求項１０に記載の方法。
【請求項１２】
前記の前記アップリンク伝送指示情報に基づいて、アップリンクデータ伝送用のプリコーディング行列を取得するステップは、
前記ＳＲＳリソースと参照信号ポートのマッピング関係情報と、ＳＲＳポートと参照信号ポートのマッピング関係情報のうちの１つに基づいて、各参照信号ポートに対応するプリコーディングベクトル／行列を特定するステップと、
各参照信号ポートに対応するプリコーディングベクトル／行列に基づいて、アップリンクデータ伝送用のプリコーディング行列を取得するステップとを含む、請求項１１に記載の方法。
【請求項１３】
前記の前記アップリンク伝送指示情報に基づいて、アップリンクデータ伝送用のプリコーディング行列を取得するステップは、
前記ＳＲＳリソースとデータ層のマッピング関係情報と、ＳＲＳポートとデータ層のマッピング関係情報のうちの１つに基づいて、各データ層に対応するプリコーディングベクトル／行列を特定するステップと、
各データ層に対応するプリコーディングベクトル／行列に基づいて、アップリンクデータ伝送用のプリコーディング行列を取得するステップとを含む、請求項１１に記載の方法。
【請求項１４】
ＳＲＳリソース構成情報と、端末の伝送可能な最大トランスポートストリーム数または前記端末の伝送可能なストリーム数の集合を含むトランスポートストリーム数構成情報を送信するための第１送信モジュールと、
アップリンク伝送指示情報を特定するための第１特定モジュールと、
前記ＳＲＳリソース構成情報および前記トランスポートストリーム数構成情報に基づいて、前記アップリンク伝送指示情報に対応する負荷を特定するための第２特定モジュールと、
前記アップリンク伝送指示情報を前記負荷によって前記端末に送信するための第２送信モジュールとを含む、基地局。
【請求項１５】
基地局から送信されるＳＲＳリソース構成情報とトランスポートストリーム数構成情報を受信するための第１受信モジュールと、
構成されたＳＲＳリソースでＳＲＳ信号を送信するための送信モジュールと、
前記ＳＲＳリソース構成情報および前記トランスポートストリーム数構成情報に基づいて、前記基地局から送信されるアップリンク伝送指示情報に対応する負荷を特定するための特定モジュールと、
前記基地局から送信されるアップリンク伝送指示情報を受信するための第２受信モジュールと、
前記アップリンク伝送指示情報に基づいて、アップリンクデータ伝送用のプリコーディング行列を取得するための取得モジュールとを含む、端末。
【国際調査報告】
2020530741.tif 000099
2020530741.tif 000100
2020530741.tif 000101
2020530741.tif 000102